(57)【要約】  表示装置（１）は、表示部（１０）と、表示制御部（１０３）と、タッチパネル（２０）と、操作受付部（１０２）と、処理部（１０１）とを備える。表示制御部（１０３）は、複数の領域が設けられたアイコンを表示部（１０）の画面に表示させる。操作受付部（１０２）は、アイコンに対するユーザー操作を受け付けた場合に、当該操作がアイコン内の何れの領域に対するユーザー操作であるかを判定する。処理部（１０１）は、操作受付部（１０２）がアイコンに対するユーザー操作を受け付けた場合、アイコンに関連付けられた機能に関する処理であって、操作が行われた領域に応じた処理を行う。
2017169630.tif 000002
【特許請求の範囲】
【請求項１】
表示部と、
前記表示部の表示動作を制御する表示制御部と、
前記表示部の画面に配置されたタッチパネルと、
前記タッチパネルを通じてユーザー操作を受け付ける操作受付部と、
前記操作受付部が受け付けたユーザー操作に応じた処理を実行する処理部と、を備え、
前記表示制御部は、本表示装置が備える機能が関連付けられたアイコンであって、当該アイコン内に複数の領域が設けられたアイコンを前記表示部の画面に表示させ、
前記操作受付部は、前記アイコンに対するユーザー操作を受け付けた場合に、当該操作が前記アイコン内の何れの領域に対するユーザー操作であるかを判定し、
前記処理部は、前記操作受付部が前記アイコンに対するユーザー操作を受け付けた場合、前記アイコンに関連付けられた機能に関する処理であって、前記操作が行われた前記領域に応じた処理を行う、表示装置。
【請求項２】
前記表示制御部は、前記アイコンに関連付けられた前記機能である第１の機能とは別の第２の機能を示す第２機能画像を前記アイコン内の前記領域に表示させ、
前記処理部は、前記操作受付部が前記タッチパネルを通じて前記第２機能画像に対するユーザー操作を受け付けた場合に、前記アイコンに対応する前記第１の機能を、該第２機能画像に対応する前記第２の機能に関連付けて実行する、請求項１に記載の表示装置。
【請求項３】
前記第２の機能は、印刷機能であり、
前記処理部は、前記操作受付部が前記タッチパネルを通じて前記第２機能画像に対するユーザー操作を受け付けた場合に、前記アイコンに対応する前記第１の機能に関連付けられたファイルを外部の画像形成装置に印刷させる、請求項２に記載の表示装置。
【請求項４】
前記アイコンを示す画像中には、階層構造の関係を有する複数のフォルダおよび／またはファイルを示す複数の第２機能画像が表示され、
前記表示制御部は、前記操作受付部が前記第２機能画像に対するユーザー操作を受け付けた場合に、該第２機能画像に対応するフォルダ内に含まれるフォルダおよび／またはファイルを示す第２機能画像を前記アイコンを示す画像中に表示させる、請求項２に記載の表示装置。
【請求項５】
前記アイコンを示す画像中には、複数の第２機能画像が表示され
前記操作受付部は、前記タッチパネルを通じて、前記アイコンに対するユーザー操作の接触範囲を検出し、前記各第２機能画像のうちから前記接触範囲に重なる面積が最も広い第２機能画像を選択して、この選択した第２機能画像に対するユーザー操作を受け付ける、請求項２に記載の表示装置。
【請求項６】
前記アイコンを示す画像中には、複数の第２機能画像が表示され
前記操作受付部は、前記タッチパネルを通じて、前記各第２機能画像のうちからユーザー操作が交差した２つ以上の第２機能画像に対するユーザー操作を受け付け、
前記処理部は、前記アイコンに対応する前記第１の機能を、前記２つ以上の第２機能画像に対応するそれぞれの前記第２の機能に関連付けて実行する、請求項２に記載の表示装置。
【請求項７】
前記処理部は、前記操作受付部が予め設定された操作領域に対するユーザー操作を判定した場合に、前記アイコンに関連付けられた機能を実行し、前記操作受付部が前記操作領域を除く他の領域に対するユーザー操作を判定した場合に、前記アイコンに関連付けられた機能を実行しない、請求項１に記載の表示装置。
【請求項８】
前記表示制御部は、前記操作受付部が前記操作領域を除く他の領域に対するユーザー操作を判定した場合に、予め設定されたダミーデータを前記表示部に表示する、請求項７に記載の表示装置。
【請求項９】
前記操作受付部は、前記表示装置にログインしたユーザーに応じて、前記アイコンの表示領域における前記操作領域の位置を変更する、請求項７に記載の表示装置。
【請求項１０】
前記操作受付部は、更に、前記操作領域に対するユーザー操作が、予め設定された操作手順のユーザー操作であるか、または、前記予め設定された操作手順とは異なるユーザー操作であるかを判定し、
前記処理部は、前記ユーザー操作が前記操作領域に対するユーザー操作であり、かつ、前記予め設定された操作手順のユーザー操作であると前記操作受付部が判定した場合に、前記アイコンに関連付けられた機能を実行する、請求項７に記載の表示装置。
【請求項１１】
前記表示制御部は、（i）日時に応じて、本表示装置が有する機能を示す複数の画像の中から画像を選択し、（ii）当該選択した画像を前記表示画面に配置されたアイコン内の前記領域に表示させ、
前記処理部は、前記操作受付部が前記アイコンに対するユーザー操作を受け付けた場合に、前記表示制御部が選択した画像に対応する機能を実行する、請求項１に記載の表示装置。
【請求項１２】
前記表示制御部は、（ｉ）前記表示画面に配置されたアイコン内に、本表示装置が有する機能を示す複数の画像からなる合成画像を表示させ、（ii）日時に応じて、前記合成画像を構成する前記各画像の表示サイズを変更し、
前記処理部は、前記操作受付部が前記アイコンに対するユーザー操作を受け付けた場合に、前記合成画像を構成する複数の画像のうち、当該ユーザー操作がなされた画像に対応する機能を実行する、請求項１１に記載の表示装置。
【請求項１３】
前記表示制御部は、日時に応じて、本表示装置が有する機能を示す複数の画像の中から１つの画像を選択し、当該選択した１つの画像の表示サイズを前記合成画像を構成する他の画像の表示サイズよりも大きくする、請求項１２に記載の表示装置。
【請求項１４】
本表示装置を操作しているユーザーを特定するユーザー特定部を更に備え、
前記表示制御部は、前記日時に加えて、前記ユーザー特定部が特定したユーザーに応じて、本表示装置が有する機能を示す前記複数の画像の中から画像を選択する、請求項１１に記載の表示装置。
【発明の詳細な説明】
【技術分野】
【０００１】
本発明は、表示装置に関し、特に複数のアイコンが配置された操作画面を表示する技術に関する。
【背景技術】
【０００２】
スマートフォンなどの携帯端末装置（表示装置とも称す）は、様々な機能に関連付けられたアイコンが配置された操作画面を表示する。ユーザーは、当該操作画面において所望のアイコンを選択することで、表示装置に所望の機能を実行させることができる（例えば、下記の特許文献１を参照）。また、ユーザーは、アイコンをスライド操作することで、操作画面に配置されたアイコンの配置位置を変更することができる。
【先行技術文献】
【特許文献】
【０００３】
【特許文献１】特開２００９−２９４８５０号公報
【発明の概要】
【発明が解決しようとする課題】
【０００４】
上記のように、アイコンをスライド操作することで操作画面に配置されたアイコンの配置位置を変更することができる。しかしながら、このような複数のアイコンが配置された操作画面においては、アイコンの配置位置を変更するだけでなく、アイコンに関して様々な操作を行えることが求められている。例えば、アイコンに対応する機能を実行させる際に、この機能に係る別の機能をより簡単な操作で同時に実行させることが望まれているが、上記の表示装置ではこの要望に応えることはできない。【０００５】
本発明は、上記の事情に鑑みなされたものであり、複数のアイコンが配置された操作画面において、新たな操作性を提供することを目的とする。
【課題を解決するための手段】
【０００６】
本発明の一局面にかかる表示装置は、表示部と、前記表示部の表示動作を制御する表示制御部と、前記表示部の画面に配置されたタッチパネルと、前記タッチパネルを通じてユーザー操作を受け付ける操作受付部と、前記操作受付部が受け付けたユーザー操作に応じた処理を実行する処理部と、を備え、前記表示制御部は、本表示装置が備える機能が関連付けられたアイコンであって、当該アイコン内に複数の領域が設けられたアイコンを前記表示部の画面に表示させ、前記操作受付部は、前記アイコンに対するユーザー操作を受け付けた場合に、当該操作が前記アイコン内の何れの領域に対するユーザー操作であるかを判定し、前記処理部は、前記操作受付部が前記アイコンに対するユーザー操作を受け付けた場合、前記アイコンに関連付けられた機能に関する処理であって、前記操作が行われた前記領域に応じた処理を行う、表示装置である。
【発明の効果】
【０００７】
本発明によれば、複数のアイコンが配置された操作画面において、新たな操作性を提供することができる。
【図面の簡単な説明】
【０００８】
【図１】本発明の実施形態にかかる表示装置の外観を示す正面図である。
【図２】本発明の実施形態にかかる表示装置の内部構成を示すブロック図である。
【図３】（ａ）〜（ｃ）は、第１実施形態にかかる表示装置の操作画面に表示されているアイコンを示す画像中における第２機能画像の設定手順を示す図である。
【図４】第１実施形態にかかる表示装置によるアイコンの操作に基づく制御手順を示すフローチャートである。
【図５】第１実施形態の変形例にかかるアイコンを示す画像中における複数の第２機能画像を示す図である。
【図６】第１実施形態の他の変形例にかかるアイコンを示す画像中における複数の第２機能画像を示す図である。
【図７】第２実施形態にかかる表示装置の操作画面を示す図である。
【図８】フォルダ及びファイルの階層構造を例示する図である。
【図９】第２実施形態にかかる表示装置によるアイコンの操作に基づく制御手順を示すフローチャートである。
【図１０】（ａ）〜（ｃ）は、第２実施形態にかかる表示装置の操作画面に表示されているアイコンを示す画像中における階層構造を示す図である。
【図１１】（ａ）〜（ｃ）は、第２実施形態にかかる表示装置の操作画面に表示されているアイコンの表示領域を示す図である。
【図１２】第３実施形態にかかる表示装置の操作画面を示す図である。
【図１３】（ａ）〜（ｆ）は、第３実施形態におけるアイコンに対するスライド操作の操作方向を例示する図である。
【図１４】第３実施形態にかかる表示装置によるアイコンの操作に基づく制御手順を示すフローチャートである。
【図１５】第４実施形態にかかる表示装置によるアイコンの選択操作を示すフローチャートである。
【図１６】第４実施形態の変形例における操作領域の位置と時間帯を対応付けた操作領域位置テーブルを概念的に示す図である。
【図１７】（ａ）〜（ｃ）は、操作領域位置テーブルを用いた場合の表示装置における操作領域の位置の変化を示す図である。
【図１８】第４実施形態の変形例における操作領域の位置とログインパスワードを対応付けた操作領域位置テーブルを概念的に示す図である。
【図１９】（ａ）〜（ｆ）は、第４実施形態の変形例における操作領域対するユーザー操作の方向を例示する図である。
【図２０】第５実施形態にかかる表示装置の操作画面を例示する図である。
【図２１】第５実施形態にかかる表示装置における操作領域と操作手順を対応付けた操作手順テーブルを概念的に示す図である。
【図２２】第５実施形態にかかる表示装置によるアイコンの選択操作を示すフローチャートである。
【図２３】第６実施形態にかかる表示装置における各機能アイコンとそれぞれの表示時間帯を対応付けた表示時間帯テーブルを概念的に示す図である。
【図２４】（ａ）および（ｂ）は、第６実施形態にかかる表示装置の操作画面の現在の日時に応じた変化を示す図である。
【図２５】第６実施形態にかかる表示装置による表示制御の処理を示すフローチャートである。
【図２６】第７実施形態にかかる表示装置の操作画面の一例を示す図である。
【図２７】（ａ）〜（ｅ）は、第７実施形態にかかる表示装置の操作画面における合成アイコンの作成手順を示す図である。
【図２８】第７実施形態にかかる表示装置における各機能アイコンとそれぞれの表示時間帯を対応付けた表示時間帯テーブルを概念的に示す図である。
【図２９】（ａ）〜（ｃ）は、第７実施形態にかかる表示装置の操作画面の現在の日時に応じた変化を示す図である。
【図３０】第７実施形態にかかる表示装置による表示制御の処理を示すフローチャートである。
【発明を実施するための形態】
【０００９】
以下、本発明の実施形態にかかる表示装置について図面を参照して説明する。
【００１０】
＜第１実施形態＞
図１は、本発明の第１実施形態にかかる表示装置の外観を示す正面図である。図２は、本発明の第１実施形態にかかる表示装置の内部構成を示すブロック図である。
【００１１】
本発明の第１実施形態にかかる表示装置１は、例えば、スマートフォンなどの携帯端末装置であって、表示部１０と、タッチパネル２０と、通信部３０と、記憶部４０と、制御ユニット１００とを備えている。これらの構成要素は、互いにバスを通じてデータ又は信号の送受信が可能とされている。
【００１２】
表示部１０は、液晶ディスプレイ（ＬＣＤ：Liquid Crystal Display）や有機ＥＬ（ＯＬＥＤ：Organic Light-Emitting Diode）などから構成される。図１に示すように、表示部１０は、複数のアイコンＡ１〜Ａ４が配置された操作画面Ｄ１を表示する。これらのアイコンＡ１〜Ａ４には、それぞれ、表示装置１が備える予め定められた様々な機能やファイルに対応づけられている。例えばアイコンＡ１は、メール機能に対応付けられている。また、アイコンＡ２は、テキストファイルに対応付けられ、アイコンＡ３は、音楽ファイルに対応付けられ、アイコンＡ４は、インターネットブラウザ機能に対応付けられている。
【００１３】
タッチパネル２０は、所謂抵抗膜方式や静電容量方式等のタッチパネルである。タッチパネル２０は、表示部１０の画面に配置され、表示部１０の操作画面Ｄ１上のアイコンに対する指などの接触をその接触位置と共に検知する。タッチパネル２０は、指などの接触を検知すると、その接触位置の座標を示す検知信号を制御ユニット１００の後述する操作受付部１０２などに出力する。このように、タッチパネル２０は、表示部１０の操作画面Ｄ１に対するユーザー操作が入力される操作部としての役割を果たす。
【００１４】
なお、タッチパネル２０には、操作画面への直接の接触がなくても、ユーザーの指などが操作画面に対して一定距離まで接近した場合に当該指などを検出するタッチパネルも含まれる。このため、本実施形態でいう「接触」には、操作画面への接触がなくても指などが上記一定距離まで接近したことがタッチパネル２０の機能により検出される状態も、実質的に接触したとして含まれるものとする。
【００１５】
また、表示装置１は、ユーザー操作が入力される操作部として、上記のタッチパネル２０に加えて物理キーを備えてもよい。当該物理キーには、例えば、矢印キー、ページアップ（Page Up）キー、ページダウン（Page Down）キーなどがある。
【００１６】
通信部３０は、不図示のＬＡＮチップなどの通信モジュールを備える通信インターフェイスである。表示装置１は、ネットワークを介してＰＣ（Personal Computer）などの他の情報処理装置と接続されており、通信部３０により接続されたＰＣなどとの間でデータの送受信を行う。
【００１７】
記憶部４０は、ＲＡＭ（Random Access Memory）、ＨＤＤ（Hard Disk Drive）などの大容量の記憶装置である。
【００１８】
制御ユニット１００は、ＣＰＵ(Central Processing Unit)、ＲＡＭ（Random Access Memory）、及びＲＯＭ（Read Only Memory）等から構成される。制御ユニット１００は、上記のＲＯＭ又は記憶部４０に記憶された制御プログラムが上記のＣＰＵに実行されることにより、制御部１０１、操作受付部１０２、表示制御部１０３、および通信制御部１０４として機能する。なお、制御ユニット１００の上記の各構成要素は、前述の制御プログラムに基づく動作によらず、それぞれハード回路により構成されてもよい。
【００１９】
制御部１０１は、表示装置１の全体的な動作制御を司る。制御部１０１は、表示部１０、タッチパネル２０、通信部３０、および記憶部４０などと接続されており、接続されている上記各構成要素の動作制御や、各構成要素との間での信号またはデータの送受信を行う。
【００２０】
制御部１０１は、特に、後述する操作受付部１０２が受け付けた操作に応じた処理を実行する処理部としての役割を果たす。例えば、ユーザーによりタッチパネル２０を通じて図１に示すアイコンＡ１を選択する操作が行われ、操作受付部１０２がアイコンＡ１のユーザー操作（選択操作ともいう）を受け付けた場合に、制御部１０１は、アイコンＡ１に対応付けられたメール機能を実行する。具体的には、制御部１０１は、記憶部４０などに記憶されているメールプログラムを実行する。
【００２１】
操作受付部１０２は、タッチパネル２０から出力される検知信号に基づき、ユーザーにより入力されたユーザー操作を特定する。そして、操作受付部１０２は、特定したユーザー操作を受け付け、当該ユーザー操作に対応する制御信号を制御部１０１、表示制御部１０３、および通信制御部１０４などに出力する。
【００２２】
ここでユーザー操作には、タッチ操作、スライド操作（フリック操作やスワイプ操作を含む）、ドラッグ操作、ピンチアウト操作、ピンチイン操作などがある。例えば、ユーザーがタッチパネル２０上に指を接触させ、その後その接触位置から指を離すと、タッチパネル２０は、接触を検知した位置を示す検知信号を操作受付部１０２に出力する。操作受付部１０２は、当該検知信号を受け、ユーザーにより入力されたユーザー操作がタッチ操作であることを特定し、当該タッチ操作を受け付ける。また、タッチパネル２０上に指を接触させた状態で指を移動させると、タッチパネル２０は、最初に接触を検出した初期位置から最後に接触を検出した最終位置までの各移動位置を示す検知信号を操作受付部１０２に出力する。操作受付部１０２は、当該検知信号を受け、ユーザーにより入力されたユーザー操作がスライド操作であること、及びスライド操作の操作方向を特定し、当該スライド操作を受け付ける。
【００２３】
通信制御部１０４は、通信部３０の通信動作を制御する機能を有する。また、表示制御部１０３は、表示部１０の表示動作を制御する機能を有する。
【００２４】
ところで、第１実施形態では、アイコンに対応する機能を実行する際に、この機能に係る別の機能をより簡単な操作で実行させることが可能にされている。詳しくは、アイコン及び該アイコンを示す画像中に設定された第２機能画像を表示部１０の画面に表示しておき、第２機能画像に対するタッチ操作が行われた場合に、アイコンに対応する機能を、第２機能画像に対応する機能に関連付けて実行している。このため、第２機能画像に対する一度のタッチ操作を行うことにより、２つの機能を関連付けて実行させることができ、操作を簡単化させることができる。
【００２５】
例えば、表示部１０の操作画面Ｄ１に表示されているアイコンＡ２を示す画像中には、表示領域よりも小さな第２機能画像ｍａが設定されている。この第２機能画像ｍａは、例えば、次のような手順で設定される。
【００２６】
まず、図３（ａ）に示すように表示部１０の操作画面Ｄ１には、各アイコンＡ１〜Ａ４及び第２機能画像ｍａが表示されているものとする。この状態で、図３（ｂ）に示すように第２機能画像ｍａに対するタッチ操作が行われ、引き続いて第２機能画像ｍａに対するスライド操作が行われると、このスライド操作を操作受付部１０２が受け付け、表示制御部１０３は、第２機能画像ｍａをそのスライド操作の方向に移動させる処理を行う。そして、図３（ｃ）に示すように第２機能画像ｍａがアイコンＡ２を示す画像中における任意位置まで移動されて、スライド操作が終了すると、表示制御部１０３は、第２機能画像ｍａをアイコンＡ２を示す画像中における任意位置に位置決めする。更に、表示制御部１０３は、第２機能画像ｍａを位置決めした後、一定時間が経過すると、第２機能画像ｍａをアイコンＡ２を示す画像中における任意位置に設定する。また、一定時間が経過するまでの間は、スライド操作による第２機能画像ｍａの再移動が可能である。これにより、アイコンＡ２を示す画像中における任意位置に第２機能画像ｍａが設定される。
【００２７】
このような第２機能画像ｍａは、例えばアイコンＡ２に対応付けられたテキストファイルのテキストの印刷及び印刷設定を指示する機能を有している。詳しくは、第２機能画像ｍａに対応する機能は、予め設定されたプログラムの実行によりなされる機能であり、プリントドライバーを起動して、テキストの印刷設定をプリントドライバーに指示する。印刷設定としては、１枚の記録紙に２ページのテキストを配置する「２in１」、１枚の記録紙に４ページのテキストを配置する「４in１」、モノクロ印刷、カラー印刷などがあり、この印刷設定がプリントドライバーに指示される。
【００２８】
ここで、操作受付部１０２は、タッチパネル２０から出力される検知信号に基づき、タッチ操作がアイコンＡ２を示す画像中における第２機能画像ｍａに対して行われたと判定すると、このタッチ操作に対応する制御信号を出力する。制御部１０１は、制御信号に基づき、そのタッチ操作されたアイコンＡ２に対応するテキストファイルを記憶部４０から読出す。そして、表示制御部１０３は、そのテキストファイルのテキストを表示部１０の画面に表示させる。また、制御部１０１は、制御信号に基づき、プリントドライバー（プログラム）を起動して、第２機能画像ｍａに対応する印刷設定をプリントドライバーに指示する。プリントドライバーは、その印刷設定に基づき、テキストの印刷データを生成し、この印刷データを通信部３０からネットワークを通じてネットワーク上のプリンター（図示せず）に送信する。プリンターでは、印刷データを受信して、印刷データによって示されるテキストを記録紙に印刷する。
【００２９】
上述の処理により、表示部１０に表示されたアイコン内には、第２機能画像ｍａが設けられた領域とそれ以外の領域とからなる複数の領域が設けられる。また、上記の処理では、操作受付部１０２は、アイコンに対するユーザー操作を受け付けた場合に、当該操作がアイコン内の何れの領域に対するユーザー操作であるか、すなわち、操作が第２機能画像ｍａが設けられた領域とそれ以外の領域に対するユーザー操作であるかを判定している。そして、制御部１０１は、操作受付部１０２がアイコンに対するユーザー操作を受け付けた場合、アイコンに関連付けられた機能に関する処理であって、操作が行われた領域に応じた処理、すなわち、第２機能画像ｍａが設けられた領域又はそれ以外の領域に応じた処理を行う。
【００３０】
次に、第１実施形態の表示装置１によるアイコンの操作に基づく制御手順を、図４に示すフローチャートに従って説明する。
【００３１】
表示制御部１０３は、まず、記憶部４０に記憶された操作画面のデータを読み出し、表示部１０に操作画面Ｄ１を表示させる（ステップＳ１０１）。
【００３２】
そして、操作受付部１０２は、操作画面Ｄ１に配置されたアイコンのタッチ操作を受け付けると（ステップＳ１０２で「Ｙｅｓ」）、タッチ操作されたアイコンを示す画像中に第２機能画像ｍａが設定されているか否かを判定する（ステップＳ１０３）。例えば、操作受付部１０２により、タッチ操作されたアイコンを示す画像中に第２機能画像ｍａが設定されていないと判定されると（ステップＳ１０３で「Ｎｏ」）、制御部１０１は、タッチ操作されたアイコンに対応する機能を実行する（ステップＳ１０４）。
【００３３】
また、操作受付部１０２は、タッチ操作されたアイコンを示す画像中に第２機能画像ｍａが設定されていると判定すると（ステップＳ１０３で「Ｙｅｓ」）、更にタッチ操作の位置がアイコンを示す画像中における第２機能画像ｍａに含まれているか否かを判定する（ステップＳ１０５）。そして、操作受付部１０２によりタッチ操作の位置がアイコンを示す画像中における第２機能画像ｍａに含まれていると判定されると（ステップＳ１０５で「Ｙｅｓ」）、制御部１０１は、アイコンに対応する機能を、該第２機能画像ｍａに対応する機能に関連付けて実行する（ステップＳ１０６）。
【００３４】
また、操作受付部１０２によりタッチ操作の位置がアイコンを示す画像中における第２機能画像ｍａに含まれていないと判定されると（ステップＳ１０５で「Ｎｏ」）、制御部１０１は、アイコンに対応する機能のみを実行する（ステップＳ１０４）
【００３５】
例えば、タッチ操作の位置がアイコンＡ２を示す画像中における第２機能画像ｍａに含まれていれば（ステップＳ１０５で「Ｙｅｓ」）、アイコンＡ２に対応するテキストファイルが記憶部４０から読出されて、テキストファイルのテキストが表示部１０の画面に表示されると共に、第２機能画像ｍａに対応する機能が実行されて、プリントドライバーが起動される（ステップＳ１０６）。また、タッチ操作の位置がアイコンＡ２を示す画像中における第２機能画像ｍａに含まれていなければ（ステップＳ１０５で「Ｎｏ」）、アイコンＡ２に対応するテキストファイルのテキストが表示部１０の画面に表示されるものの（ステップＳ１０４）、第２機能画像ｍａに対応する機能が実行されることはない。
【００３６】
以上のように、本発明の第１実施形態にかかる表示装置１では、操作画面Ｄ１上のアイコンがタッチ操作されたときには、タッチ操作されたアイコンを示す画像中に第２機能画像ｍａが設定されているか否かが判定され、タッチ操作されたアイコンを示す画像中に第２機能画像ｍａが設定されていない場合に、又はタッチ操作されたアイコンを示す画像中に第２機能画像ｍａが設定されていて、タッチ操作の位置がアイコンを示す画像中における第２機能画像ｍａに含まれていない場合に、タッチ操作されたアイコンに対応する機能のみが実行される。また、タッチ操作の位置がアイコンを示す画像中における第２機能画像ｍａに含まれている場合に、アイコンに対応する機能が、第２機能画像ｍａに対応する機能に関連付けて実行される。このため、アイコンを示す画像中における第２機能画像ｍａに対する一度のタッチ操作で２つの機能を関連付けて実行させることができ、操作が簡単化されて、ユーザーに新たな操作性を提供することができる。
【００３７】
＜変形例１−１＞
第１実施形態では、アイコンを示す画像中に１つの第２機能画像ｍａを設定しているが、アイコンを示す画像中に複数の第２機能画像を設定しても構わない。
【００３８】
例えば、図５に示すようにアイコンＡ４を示す画像中に４つの第２機能画像ｍａ１、ｍａ２、ｍａ３、ｍａ４を設定する。これらの第２機能画像ｍａ１、ｍａ２、ｍａ３、ｍａ４は、図３（ａ）〜（ｃ）に示す手順を繰り返すことにより、アイコンＡ４を示す画像中におけるそれぞれの任意位置に設定される。また、１つのアイコンを示す画像中に任意の数の第２機能画像を設定することができる。
【００３９】
アイコンＡ４は、インターネットブラウザ機能に対応付けられている。また、各第２機能画像ｍａ１〜ｍａ４に対応するそれぞれの機能は、予め設定されたプログラムの実行によりなされる機能であり、アイコンＡ４に対応するインターネットブラウザ機能の実行時に最初にアクセスされるネット上のサイトを該インターネットブラウザ機能に指示する機能である。
【００４０】
例えば、第２機能画像ｍａ１に対応する機能により、最初にアクセスされるサイトとして天気予報に係るサイトがインターネットブラウザ機能に指示される。また、第２機能画像ｍａ２に対応する機能により、最初にアクセスされるサイトとして仕事に頻繁に利用されるサイトがインターネットブラウザ機能に指示される。更に、第２機能画像ｍａ３に対応する機能により、最初にアクセスされるサイトとして娯楽に係るサイトがインターネットブラウザ機能に指示される。また、第２機能画像ｍａ４に対応する機能により、最初にアクセスされるサイトとしてニュースに係るサイトがインターネットブラウザ機能に指示される。
【００４１】
ここで、操作受付部１０２は、タッチパネル２０から出力される検知信号に基づき、タッチ操作がアイコンＡ４を示す画像中における第２機能画像ｍａ１に対して行われたと判定すると、このタッチ操作を受け付け、当該タッチ操作に対応する制御信号を制御部１０１に出力する。制御部１０１は、制御信号に基づきそのタッチ操作されたアイコンＡ４並びに第２機能画像ｍａ１を判定すると、アイコンＡ４に対応するインターネットブラウザ機能を実行すると共に、第２機能画像ｍａ１に対応する機能を実行して、最初にアクセスされるサイトとして天気予報に係るサイトをインターネットブラウザ機能に指示する。このインターネットブラウザ機能の実行に伴い、通信制御部１０４が通信部３０を通じて該インターネットブラウザ機能で設定されているネット上の天気予報に係るサイトに最初にアクセスして、サイトのデータを受信し、表示制御部１０３が天気予報に係るサイトを表示部１０の画面に表示させる。
【００４２】
同様に、タッチ操作がアイコンＡ４を示す画像中における第２機能画像ｍａ２に対して行われた場合は、仕事に頻繁に利用されるサイトが最初にアクセスされて、このサイトが表示部１０の画面に表示され、またタッチ操作が第２機能画像ｍａ３に対して行われた場合は、娯楽に係るサイトが最初にアクセスされて、このサイトが表示部１０の画面に表示され、更にタッチ操作が第２機能画像ｍａ４に対して行われた場合は、ニュースに係るサイトが最初にアクセスされて、このサイトが表示部１０の画面に表示される。
【００４３】
従って、アイコンＡ４を示す画像中における各第２機能画像ｍａ１〜ｍａ４のいずれがタッチ操作されるかにより、表示部１０の画面に最初に表示されるサイトが変わる。
【００４４】
＜変形例１−２＞
上記変形例１−１においては、アイコンＡ４を示す画像中に複数の第２機能画像ｍａ１〜ｍａ４が設定されている。このため、１つの任意の第２機能画像がタッチ操作されるときに、この任意の第２機能画像に隣接する他の第２機能画像もタッチ操作されることがある。
【００４５】
そこで、操作受付部１０２は、タッチパネル２０を通じて、アイコンＡ４に対するユーザー操作の接触範囲を求め、このアイコンＡ４を示す画像中における各第２機能画像ｍａ１〜ｍａ４のうちからその接触範囲に重なる面積が最も広い第２機能画像を選択して、この選択した第２機能画像に対するユーザー操作を受け付ける。これにより、アイコンＡ４を示す画像中に各第２機能画像ｍａ１〜ｍａ４が密接して設定されていても、ユーザーがタッチ操作した任意の第２機能画像を適確に選択することができる。
【００４６】
＜変形例１−３＞
また、アイコンを示す画像中に複数の第２機能画像を表示しておき、２つ以上の第２機能画像を交差するスライド操作が行われたときには、スライド操作に交差した２つ以上の第２機能画像に対応するそれぞれの機能を組み合わせて実行してもよい。
【００４７】
例えば、図６に示すようにアイコンＡ２を示す画像中に４つの第２機能画像ｍａ１、ｍａ２、ｍａ３、ｍａ４が設定されているものとする。これらの第２機能画像ｍａ１、ｍａ２、ｍａ３、ｍａ４は、「２in１」、モノクロ印刷、カラー印刷、「４in１」というそれぞれの印刷設定に対応している。
【００４８】
ここで、各第２機能画像ｍａ１〜ｍａ４のいずれかがタッチ操作されると、アイコンＡ２に対応する機能が、タッチ操作された第２機能画像に対応する機能に関連付けて実行される。また、アイコンＡ２がスライド操作されて、各第２機能画像ｍａ１〜ｍａ４のうちの２つ以上の第２機能画像がスライド操作に交差した場合は、アイコンＡ２に対応する機能が、スライド操作に交差した２つ以上の第２機能画像に対応する機能に関連付けて実行される。例えば、スライド操作が２つの第２機能画像ｍａ１、ｍａ２と交差した場合は、アイコンＡ２に対応するテキストファイルのテキストが、「２in１」及びモノクロで印刷される。
【００４９】
＜第２実施形態＞
次に、本発明の第２実施形態の表示装置について説明する。第２実施形態の表示装置１は、第１実施形態と同様に、図１及び図２に示す外観及び内部構成を有しているが、表示部１０の画面に表示されるアイコンの表示制御及び表示形態が異なる。
【００５０】
第２実施形態では、表示装置１の表示部１０に、例えば図７に示すように複数のアイコンＡ１〜Ａ３及びアイコンＢ１を配置した操作画面Ｄ２が表示される。各アイコンＡ１〜Ａ３は、それぞれの機能に対応付けられている。また、アイコンＢ１は、階層構造の関係を有する複数のフォルダやファイルに対応付けられている。
【００５１】
例えば、アイコンＢ１は、階層構造における最も上位のフォルダｆ１に対応付けられている。また、図８に示すように最も上位のフォルダｆ１には下位の２つのフォルダｆ２、ｆ３及びファイルｆ４が属し、フォルダｆ２にはより下位の２つのファイルｆ５、ｆ６が属し、フォルダｆ３にはより下位の２つのファイルｆ７、ｆ８が属している。
【００５２】
そして、アイコンＢ１を示す画像中には、そのようなフォルダやファイルの階層構造が反映されて表示される。
【００５３】
次に、第２実施形態の表示装置１によるアイコンの操作に基づく制御手順を、図９に示すフローチャートに従って説明する。
【００５４】
表示制御部１０３は、まず、記憶部４０に記憶された操作画面のデータを読み出し、表示部１０に操作画面Ｄ２を表示させる（ステップＳ２０１）。
【００５５】
そして、操作受付部１０２は、操作画面Ｄ２に配置されたアイコンのタッチ操作を受け付けると（ステップＳ２０２で「Ｙｅｓ」）、タッチ操作されたアイコンがフォルダに対応付けられているか否かを判定する（ステップＳ２０３）。例えば、操作受付部１０２により、タッチ操作されたアイコンがフォルダに対応付けられていないと判定されると（ステップＳ２０３で「Ｎｏ」）、制御部１０１は、タッチ操作されたアイコンに対応する機能を実行する（ステップＳ２０４）。
【００５６】
また、操作受付部１０２により、例えばタッチ操作されたアイコンＢ１がフォルダｆ１に対応付けられていると判定されると（ステップＳ２０３で「Ｙｅｓ」）、表示制御部１０３は、図１０（ａ）に示すようにフォルダｆ１に対応する第２機能画像ｍｂ１、及び該フォルダｆ１に属す２つのフォルダｆ２、ｆ３及びファイルｆ４に対応するそれぞれの第２機能画像ｍｂ２、ｍｂ３、ｍｂ４をアイコンＢ１を示す画像中に表示させる（ステップＳ２０５）。
【００５７】
そして、操作受付部１０２によりフォルダｆ２に対応する第２機能画像ｍｂ２に対するタッチ操作が判定されると（ステップＳ２０６で「Ｙｅｓ」）、表示制御部１０３は、図１０（ｂ）に示すようにフォルダｆ２に対応する第２機能画像ｍｂ２、及び該フォルダｆ２に属す２つのファイルｆ５、ｆ６に対応するそれぞれの第２機能画像ｍｂ５、ｍｂ６をアイコンＢ１を示す画像中に表示させる（ステップＳ２０５）。
【００５８】
同様に、図１０（ａ）においてフォルダｆ３に対応する第２機能画像ｍｂ３に対するタッチ操作が判定されると（ステップＳ２０６で「Ｙｅｓ」）、図１０（ｃ）に示すようにフォルダｆ３に対応する第２機能画像ｍｂ３、及び該フォルダｆ３に属す２つのファイルｆ７、ｆ８に対応するそれぞれの第２機能画像ｍｂ７、ｍｂ８がアイコンＢ１を示す画像中に表示される（ステップＳ２０５）。
【００５９】
また、操作受付部１０２により、各ファイルｆ４、ｆ５、ｆ６、ｆ７、ｆ８に対応する各第２機能画像ｍｂ４、ｍｂ５、ｍｂ６、ｍｂ７、ｍｂ８のいずれかに対するタッチ操作が判定されると（ステップＳ２０７で「Ｙｅｓ」）、制御部１０１は、そのタッチ操作された第２機能画像に対応するファイルを記憶部４０から読出して、このファイルに対応する機能を実行する（ステップＳ２０８）。例えば、制御部１０１がそのファイルの内容を展開し、表示制御部１０３がそのファイルの内容を表示部１０の画面に表示させる。
【００６０】
以上のように、本発明の第２実施形態にかかる表示装置１によれば、階層構造に応じてフォルダやファイルをタッチ操作して選択することができるので、フォルダやファイルの選択操作が容易になって、ユーザーに新たな操作性を提供することができる。
【００６１】
＜変形例２−１＞
第２実施形態では、アイコンの表示領域のサイズを一定に維持しているが、アイコンの表示領域のサイズを変更してもよい。
【００６２】
例えば、操作受付部１０２によりアイコンＢ１に対するタッチ操作が判定されると、表示制御部１０３は、図１１（ａ）に示すようにアイコンＢ１を示す画像中にフォルダｆ１に対応する第２機能画像ｍｂ１、該フォルダｆ１に属す２つのフォルダｆ２、ｆ３及びファイルｆ４に対応するそれぞれの第２機能画像ｍｂ２〜ｍｂ４をアイコンＢ１を示す画像中に表示させる。そして、操作受付部１０２によりフォルダｆ２に対するタッチ操作が判定されると、表示制御部１０３は、図１１（ｂ）に示すようにアイコンＢ１の表示領域を拡大して、この拡大した表示領域に、第２機能画像ｍｂ１及び３つの第２機能画像ｍｂ２〜ｍｂ４に加えて、フォルダｆ２に属す２つのファイルｆ５、ｆ６に対応するそれぞれの第２機能画像ｍｂ５、ｍｂ６を表示させる。同様に、図１１（ａ）においてフォルダｆ３に対するタッチ操作が判定されると、表示制御部１０３は、図１１（ｃ）に示すようにアイコンＢ１の表示領域を拡大して、この拡大した表示領域に、第２機能画像ｍｂ１及び３つの第２機能画像ｍｂ２〜ｍｂ４に加えて、フォルダｆ３に属す２つのファイルｆ７、ｆ８に対応するそれぞれの第２機能画像ｍｂ７、ｍｂ８を表示させる。
【００６３】
＜第３実施形態＞
次に、本発明の第３実施形態の表示装置について説明する。第３実施形態の表示装置１は、第１実施形態と同様に、図１及び図２に示す外観及び内部構成を有しているが、表示部１０の画面に表示されるアイコンに対する操作方法が異なる。
【００６４】
第３実施形態では、表示装置１の表示部１０に、例えば図１２に示すように複数のアイコンＡ１〜Ａ３及びアイコンＣ１を配置した操作画面Ｄ３が表示される。各アイコンＡ１〜Ａ３は、それぞれの機能に対応付けられており、各アイコンＡ１〜Ａ３に対するタッチ操作によりそれぞれの機能が実行される。
【００６５】
また、アイコンＣ１については、タッチ操作により該アイコンＣ１に対応する機能が実行されるだけではなく、スライド操作が行われた場合に、アイコンに対応する機能が、該スライド操作の操作方向に対応する機能に関連付けて実行される。これにより、一度のスライド操作で２つの機能を関連付けて実行させることができ、操作を簡単化させることができる。
【００６６】
例えば、図１３（ａ）〜（ｆ）に示すようにアイコンＣ１に対するユーザー操作の操作方向として、上方向、下方向、右方向、左方向、時計回り方向、反時計回り方向などを予め設定しておき、これらの操作方向に対応付けてそれぞれの機能を設定しておく。そして、アイコンＣ１に対するスライド操作の操作方向が、上方向、下方向、右方向、左方向、時計回り方向、反時計回り方向のいずれかに一致したときに、アイコンに対応する機能を、スライド操作の操作方向に対応する機能に関連付けて実行する。
【００６７】
より具体的には、アイコンＣ１がテキストファイルに対応付けられ、上方向、下方向、右方向、左方向、時計回り方向、反時計回り方向がそれぞれの印刷設定に対応付けられているとすると、アイコンＣ１に対してスライド操作が行われたときに、アイコンＣ１に対応するテキストファイルのテキストが、スライド操作の操作方向に対応する印刷設定で印刷される。各操作方向に対応するそれぞれの印刷設定としては、「２in１」、「４in１」、モノクロ印刷、カラー印刷、縦向き印刷、横向き印刷などがある。
【００６８】
次に、第３実施形態の表示装置１によるアイコンの操作に基づく制御手順を、図１４に示すフローチャートに従って説明する。
【００６９】
表示制御部１０３は、まず、記憶部４０に記憶された操作画面のデータを読み出し、表示部１０に操作画面Ｄ３を表示させる（ステップＳ３０１）。
【００７０】
そして、操作受付部１０２は、操作画面Ｄ３に配置されたアイコンのユーザー操作を受け付けると（ステップＳ３０２で「Ｙｅｓ」）、ユーザー操作がタッチ操作及びスライド操作のいずれであるかを判定する（ステップＳ３０３）。例えば、操作受付部１０２によりユーザー操作がタッチ操作であると判定されると（ステップＳ３０３で「タッチ操作」）、制御部１０１は、タッチ操作されたアイコンに対応する機能を実行する（ステップＳ３０４）。
【００７１】
また、操作受付部１０２によりユーザー操作がスライド操作であると判定されると（ステップＳ３０３で「スライド操作」）、制御部１０１は、ユーザー操作が受付けられたアイコンについてスライド操作の操作方向に対応する機能が設定されているか否かを判定する（ステップＳ３０５）。そして、制御部１０１は、スライド操作の操作方向に対応する機能が設定されていると判定すると（ステップＳ３０５で「Ｙｅｓ」）、スライド操作がなされたアイコンに対応する機能を、スライド操作の操作方向に対応する機能に関連付けて実行する（ステップＳ３０６）。
【００７２】
例えば、アイコンＣ１に対してスライド操作がなされた場合は、プリントドライバーが起動されて、スライド操作の操作方向に対応する印刷設定がプリントドライバーに指示される。プリントドライバーは、そのスライド操作の操作方向に対応する印刷設定に基づき、アイコンＣ１に対応するテキストファイルのテキストの印刷データを生成し、この印刷データを通信部３０からネットワークを通じてネットワーク上のプリンターに送信する。プリンターでは、印刷データを受信して、印刷データによって示されるテキストを記録紙に印刷する。
【００７３】
また、操作受付部１０２によりユーザー操作がスライド操作であると判定されても（ステップＳ３０３で「スライド操作」）、制御部１０１によりスライド操作の操作方向に対応する機能が設定されていないと判定されると（ステップＳ３０５で「Ｎｏ」）、アイコンに対応する機能が実行されるものの（ステップＳ３０４）、スライド操作の操作方向に対応する機能が実行されることはない。
【００７４】
以上のように、本発明の第３実施形態にかかる表示装置１では、操作画面Ｄ３上のアイコンがユーザー操作されたときには、ユーザー操作がタッチ操作及びスライド操作のいずれであるかが判定され、タッチ操作された場合に、アイコンに対応する機能が実行される。また、スライド操作である場合には、スライド操作の操作方向に対応する機能が設定されているか否かが判定され、スライド操作の操作方向に対応する機能が設定されていなければ、アイコンに対応する機能が実行されるものの、スライド操作の操作方向に対応する機能が実行されることはない。更に、スライド操作の操作方向に対応する機能が設定されていれば、アイコンに対応する機能が、スライド操作の操作方向に対応する機能に関連付けて実行される。このため、アイコンに対する一度のスライド操作で２つの機能を関連付けて実行させることができ、操作が簡単化されて、ユーザーに新たな操作性を提供することができる。
【００７５】
＜変形例３−１＞
第３実施形態では、アイコンＣ１に対するスライド操作の操作方向として一方向だけを判定して、この操作方向に対応する機能を実行しているが、複数の方向を同時に判定して、これらの操作方向に対応するそれぞれの機能を組み合わせて実行してもよい。
【００７６】
例えば、上方向、下方向、右方向、左方向、時計回り方向、反時計回り方向に対応するそれぞれの印刷設定として、「２in１」、「４in１」、モノクロ印刷、カラー印刷、縦向き印刷、横向き印刷が設定されているものとすると、アイコンＣ１に対して、例えば上方向のスライド操作が行われ、引き続いて右方向のスライド操作が行われた場合は、「２in１」及びモノクロ印刷が組み合わされて実行される。また、アイコンＣ１に対して、例えば左方向のスライド操作が行われ、引き続いて時計回り方向のスライド操作が行われた場合は、カラー印刷及び縦向き印刷が組み合わされて実行される。
【００７７】
＜第４実施形態＞
第４実施形態では、アイコンのセキュリティを向上させることができる。詳しくは、アイコンとして、アイコンの表示領域における予め設定された操作領域に対するタッチ操作が行われた場合に、そのアイコンに関連付けられた機能を実行すると共に、アイコンの表示領域における該操作領域を除く他の領域に対するタッチ操作が行われた場合に、そのアイコンに関連付けられた機能を実行しないようなアイコンを設定することができる。また、アイコンの表示領域における操作領域は、表示装置１のユーザーにより任意に設定されるものであり、設定後は操作領域が非表示となる。このため、表示装置１のユーザーとは異なる他の人が該表示装置１を操作しても、アイコンの機能を容易に実行することができず、セキュリティを向上させることができる。
【００７８】
例えば、後述する図１７（Ａ）〜図１７（Ｃ）の表示部１０の操作画面Ｄ１に表示されているアイコンＡ４の表示領域には、該表示領域よりも小さな操作領域ｍａが設定されている。この操作領域ｍａは、表示装置１のユーザーが予め設定したものであり、設定後は操作領域ｍａが非表示となって視認することができない。
【００７９】
操作受付部１０２は、タッチパネル２０から出力される検知信号に基づき、タッチ操作がアイコンＡ４の表示領域における操作領域ｍａに対して行われたと判定すると、このタッチ操作を受け付け、当該タッチ操作に対応する制御信号を制御部１０１に出力する。表示制御部１０は、このタッチ操作された操作領域ｍａを含むアイコン４に関連付けられたインターネットブラウザ機能を実行する。また、操作受付部１０２は、タッチパネル２０から出力される検知信号に基づき、タッチ操作がアイコンＡ４の表示領域における操作領域ｍａとは異なる他の領域に対して行われたと判定すると、制御信号を制御部１０１に出力することがない。このため、インターネットブラウザ機能が実行されない。
【００８０】
次に、第４実施形態の表示装置１の動作について説明する。図１５は、表示装置１によるアイコンの選択操作を示すフローチャートである。
【００８１】
表示制御部１０３は、まず、記憶部４０に記憶された操作画面のデータを読み出し、表示部１０に操作画面Ｄ１を表示させる（ステップＳ４０１）。
【００８２】
そして、操作受付部１０２は、操作画面Ｄ１に配置されたアイコンのタッチ操作を受け付けると（ステップＳ４０２で「Ｙｅｓ」）、タッチ操作されたアイコンの表示領域に操作領域ｍａが設定されているか否かを判定する（ステップＳ４０３）。例えば、操作受付部１０２により、タッチ操作されたアイコンの表示領域に操作領域ｍａが設定されていないと判定されると（ステップＳ４０３で「Ｎｏ」）、制御部１０１は、タッチ操作されたアイコンに関連付けられた機能を実行する（ステップＳ４０４）。
【００８３】
また、操作受付部１０２は、タッチ操作されたアイコンの表示領域に操作領域ｍａが設定されていると判定すると（ステップＳ４０３で「Ｙｅｓ」）、更にタッチ操作の位置がアイコンの表示領域における操作領域ｍａに含まれているか否かを判定する（ステップＳ４０５）。そして、操作受付部１０２によりタッチ操作の位置がアイコンの表示領域における操作領域ｍａに含まれていると判定されると（ステップＳ４０５で「Ｙｅｓ」）、制御部１０１は、タッチ操作されたアイコンに関連付けられた機能を実行する（ステップＳ４０４）。また、操作受付部１０２によりタッチ操作の位置がアイコンの表示領域における操作領域ｍａに含まれていないと判定されると（ステップＳ４０５で「Ｎｏ」）、タッチ操作されたアイコンに関連付けられた機能が実行されることはない。
【００８４】
例えば、タッチ操作の位置がアイコンＡ４の表示領域における操作領域ｍａに含まれていれば（ステップＳ４０５で「Ｙｅｓ」）、アイコンＡ４に関連付けられたインターネットブラウザ機能が実行される（ステップＳ４０４）。また、タッチ操作の位置がアイコンＡ４の表示領域における操作領域ｍａに含まれていなければ（ステップＳ４０５で「Ｎｏ」）、アイコンＡ４に関連付けられたインターネットブラウザ機能が実行されることはない。
【００８５】
以降、各ステップＳ４０２〜Ｓ４０５の処理が定期的に繰り返されることにより、操作画面Ｄ１上のアイコンがタッチ操作されたときには、タッチ操作されたアイコンの表示領域に操作領域ｍａが設定されているか否かが判定され、タッチ操作されたアイコンの表示領域に操作領域ｍａが設定されていない場合に、又はタッチ操作されたアイコンの表示領域に操作領域ｍａが設定されていて、タッチ操作の位置がアイコンの表示領域における操作領域ｍａに含まれている場合に、タッチ操作されたアイコンに関連付けられた機能が実行される。
【００８６】
以上のように、本発明の第４実施形態にかかる表示装置１によれば、アイコンの表示領域において操作領域ｍａが設定されると、タッチ操作の位置がその操作領域ｍａに含まれている場合にのみ、アイコンに関連付けられた機能が実行されるので、操作領域ｍａが設定されていることを知らない人が表示装置１を操作しても、アイコンの機能を容易に実行することができず、セキュリティを向上させることができ、ユーザーに新たな操作性を提供することが可能となる。
【００８７】
＜変形例４−１＞
第４実施形態では、タッチ操作の位置がアイコンの表示領域における操作領域ｍａに含まれていない場合に、アイコンに関連付けられた機能を実行しないようにしているが、この代わりに、予め設定されたダミーデータを表示部１０の画面に表示してもよい。
【００８８】
例えば、アイコンＡ４に関連付けてダミーデータを予め設定して記憶部４０等に記憶しておく。そして、操作受付部１０２により、アイコンＡ４のタッチ操作が受け付けられながらも、タッチ操作の位置がアイコンＡ４の表示領域における操作領域ｍａに含まれていないと判定されると、表示制御部１０３は、そのアイコンＡ４に関連付けられたダミーデータを記憶部４０から読出して、このダミーデータを表示部１０の画面に表示する。
【００８９】
＜変形例４−２＞
また、表示制御部１０３は、日時に応じて、アイコンの表示領域における操作領域ｍａの位置を変更してもよい。このためには、図１６に示すような操作領域位置テーブルＤｔ１を予め作成して記憶部４０等に記憶しておく。この操作領域位置テーブルＤｔ１では、ＡＭ７：００〜ＡＭ９：００の時間帯に対応してアイコンの表示領域における上側が操作領域ｍａの位置として設定され、ＡＭ９：００〜ＰＭ５：００の時間帯に対応してアイコンの表示領域における左側が操作領域ｍａの位置として設定され、ＰＭ５：００〜ＡＭ７：００の時間帯に対応してアイコンの表示領域における下側が操作領域ｍａの位置として設定されている。
【００９０】
表示制御部１０３は、表示装置１で計時されている現在の日時を取得し、現在の日時と表示位置テーブルＤｔ１の各時間帯を比較して、現在の日時を含む時間帯が設定されているアイコンの表示領域における位置を選択し、この選択したアイコンの表示領域における位置に操作領域ｍａを設定する。
【００９１】
図１６に示すような操作領域位置テーブルＤｔ１を設定した場合は、ＡＭ７：００〜ＡＭ９：００の時間帯に、図１７（ａ）に示すように操作領域ｍａがアイコンの表示領域における上側に位置決めされ、ＡＭ９：００〜ＰＭ５：００の時間帯に、図１７（ｂ）に示すように操作領域ｍａがアイコンの表示領域における左側に位置決めされ、ＰＭ５：００〜ＡＭ７：００の時間帯に、図１７（ｃ）に示すように操作領域ｍａがアイコンの表示領域における下側に位置決めされる。
【００９２】
＜変形例４−３＞
また、表示制御部１０３は、表示装置１を用いるためにログインしたユーザーに応じて、アイコンの表示領域における操作領域ｍａの位置を変更しても構わない。このためには、図１８に示すような操作領域位置テーブルＤｔ２を予め作成して記憶部４０等に記憶しておく。この操作領域位置テーブルＤｔ２では、ユーザーＡのログインパスワードＰａに対応してアイコンの表示領域における上側が操作領域ｍａの位置として設定され、ユーザーＢのログインパスワードＰｂに対応してアイコンの表示領域における左側が操作領域ｍａの位置として設定され、ユーザーＣのログインパスワードＰｃに対応してアイコンの表示領域における下側が操作領域ｍａの位置として設定されている。
【００９３】
ここで、表示部１０の画面にキーボードなどが表示され、タッチ操作によりログインパスワードが入力されたものとする。このとき、制御部１０１は、操作受付部１０２を通じて該ログインパスワードを入力し、この入力したログインパスワードが操作領域位置テーブルＤｔ２における各ログインパスワードＰａ、Ｐｂ、Ｐｃのいずれかに一致すると、表示装置１を使用可能な動作状態にする。そして、表示制御部１０３は、操作領域位置テーブルＤｔ２を参照して、その入力したログインパスワードに対応するアイコンの表示領域における位置を選択し、この選択したアイコンの表示領域における位置に操作領域ｍａを設定する。
【００９４】
図１８に示すような操作領域位置テーブルＤｔ２を設定した場合は、ユーザーＡのログインパスワードＰａが入力されたときに、操作領域ｍａがアイコンの表示領域における上側に位置決めされ、ユーザーＢのログインパスワードＰｂが入力されたときに、操作領域ｍａがアイコンの表示領域における左側に位置決めされ、ユーザーＣのログインパスワードＰｃが入力されたときに、操作領域ｍａがアイコンの表示領域における下側に位置決めされる。
【００９５】
＜変形例４−４＞
また、操作受付部１０２は、アイコンの表示領域における操作領域ｍａに対する予め設定された操作手順のタッチ操作を受け付けると共に、操作領域ｍａに対す該操作手順とは異なるタッチ操作を受け付けないようにしても構わない。
【００９６】
例えば、操作受付部１０２は、操作領域ｍａに対するタッチ操作が規定時間の間に規定回数だけ繰り返されたときに、タッチ操作を受け付け、タッチ操作が規定時間の間に規定回数（予め定められた回数）だけ繰り返されなかったときに、タッチ操作を受け付けないようにする。
【００９７】
あるいは、操作受付部１０２は、操作領域ｍａに対するユーザー操作が規定方向（予め定められた方向）へのスライド操作であるときに、ユーザー操作を受け付け、ユーザー操作が規定方向でないときに、ユーザー操作を受け付けないようにする。より具体的には、図１９（ａ）〜図１９（ｆ）に示すように操作領域ｍａに対するユーザー操作の規定方向として、上方向、下方向、右方向、左方向、時計回り方向、反時計回り方向などを予め設定しておく。そして、操作領域ｍａに対するユーザー操作の方向が規定方向に一致したときに、ユーザー操作を受け付け、ユーザー操作が規定方向に一致しないときに、ユーザー操作を受け付けないようにする。
【００９８】
＜第５実施形態＞
本発明の第５実施形態の表示装置について説明する。第５実施形態の表示装置１は、第４実施形態とはアイコンの表示領域に設定される操作領域ｍａの数が異なる。
【００９９】
第５実施形態では、例えば図２０に示すようにアイコンＡ４が表示部１０の操作画面Ｄ２に表示されているものとすると、このアイコンＡ４の表示領域に３つの操作領域ｍａ１、ｍａ２、ｍａ３が非表示で設定されている。
【０１００】
これらの操作領域ｍａ１、ｍａ２、ｍａ３は、図３（ａ）〜（ｃ）に示す手順を繰り返すことにより、アイコンＡ４の表示領域におけるそれぞれの任意位置に所望のサイズで設定される。また、１つのアイコンの表示領域における操作領域の数を任意に設定することができる。
【０１０１】
このようなアイコンＡ４の表示領域における各操作領域ｍａ１、ｍａ２、ｍａ３に対しては、タッチ操作の操作手順が予め設定されている。例えば、操作手順は、各操作領域ｍａ１、ｍａ２、ｍａ３別に設定されており、規定時間の間に操作領域に対して繰り返し行われる規定回数のタッチ操作である。このためには、図２１に示すような操作手順テーブルＤｔ３を予め作成して記憶部４０等に記憶しておく。この操作手順テーブルＤｔ３では、操作領域ｍａ１に対応付けて規定時間Ｔの間に１回のタッチ操作が設定され、また操作領域ｍａ２に対応付けて規定時間Ｔの間に２回のタッチ操作が設定され、操作領域ｍａ３に対応付けて規定時間Ｔの間に３回のタッチ操作が設定されている。
【０１０２】
ここで、操作受付部１０２は、タッチパネル２０から出力される検知信号に基づき、タッチ操作がアイコンＡ４の表示領域における各操作領域ｍａ〜ｍａ３のいずれかに対して行われると、操作手順テーブルＤｔ３を参照して、タッチ操作がそのタッチ操作された操作領域に対応する操作手順で行われたか否かを判定し、操作領域に対応する操作手順で行われたと判定すると、このタッチ操作を受け付け、当該タッチ操作に対応する制御信号を制御部１０１に出力する。例えば、操作領域ｍａ１が規定時間Ｔの間に１回のタッチ操作された場合は、タッチ操作が受け付けられる。同様に、操作領域ｍａ２が規定時間Ｔの間に２回のタッチ操作された場合に、また操作領域ｍａ３が規定時間Ｔの間に３回のタッチ操作された場合に、タッチ操作が受け付けられる。そして、表示制御部１０は、アイコンＡ４に関連付けられたインターネットブラウザ機能を実行する。
【０１０３】
また、操作受付部１０２は、タッチパネル２０から出力される検知信号に基づき、タッチ操作がアイコンＡ４の表示領域における各操作領域ｍａ〜ｍａ３とは異なる他の領域に対して行われたか、又はタッチ操作が各操作領域ｍａ〜ｍａ３のいずれかに対して行われても、タッチ操作がそのタッチ操作された操作領域に対応する操作手順で行われなかったと判定すると、このタッチ操作を受け付けず、制御信号を制御部１０１に出力することもない。このため、インターネットブラウザ機能が実行されない。
【０１０４】
次に、第５実施形態の表示装置１の動作について説明する。図２２は、表示装置１によるアイコンの選択操作を示すフローチャートである。
【０１０５】
表示制御部１０３は、まず、記憶部４０に記憶された操作画面のデータを読み出し、表示部１０に操作画面Ｄ２を表示させる（ステップＳ５０１）。
【０１０６】
そして、操作受付部１０２は、操作画面Ｄ２に配置されたアイコンのタッチ操作を受け付けると（ステップＳ５０２で「Ｙｅｓ」）、タッチ操作されたアイコンの表示領域に操作領域が設定されているか否かを判定する（ステップＳ５０３）。例えば、操作受付部１０２によりタッチ操作されたアイコンの表示領域に操作領域が設定されていないと判定されると（ステップＳ５０３で「Ｎｏ」）、制御部１０１は、タッチ操作されたアイコンに関連付けられた機能を実行する（ステップＳ５０４）。
【０１０７】
また、操作受付部１０２は、タッチ操作されたアイコンの表示領域に操作領域が設定されていると判定すると（ステップＳ５０３で「Ｙｅｓ」）、更にタッチ操作の位置がアイコンの表示領域における操作領域に含まれているか否かを判定する（ステップＳ５０５）。そして、操作受付部１０２は、タッチ操作の位置がアイコンの表示領域における操作領域ｍａに含まれていると判定すると（ステップＳ５０５で「Ｙｅｓ」）、操作手順テーブルＤｔ３を参照して、タッチ操作がそのタッチ操作された操作領域に対応する操作手順で行われたか否かを判定する（ステップＳ５０６）。
【０１０８】
このとき、操作受付部１０２によりタッチ操作がそのタッチ操作された操作領域に対応する操作手順で行われたと判定されると（ステップＳ５０６で「Ｙｅｓ」）、制御部１０１は、タッチ操作されたアイコンに関連付けられた機能を実行する（ステップＳ５０４）。
【０１０９】
また、操作受付部１０２により、タッチ操作の位置がアイコンの表示領域における操作領域に含まれていないと判定されるか（ステップＳ５０５で「Ｎｏ」）、タッチ操作の位置がアイコンの表示領域における操作領域に含まれると判定されながらも、（ステップＳ５０５で「Ｙｅｓ」）、タッチ操作がそのタッチ操作された操作領域に対応する操作手順で行われなかったと判定されると（ステップＳ５０６で「Ｎｏ」）、タッチ操作されたアイコンに関連付けられた機能が実行されることはない。
【０１１０】
以降、各ステップＳ５０２〜Ｓ５０６の処理が定期的に繰り返されることにより、操作画面Ｄ２上のアイコンがタッチ操作されたときには、タッチ操作されたアイコンの表示領域に操作領域が設定されているか否かが判定され、タッチ操作されたアイコンの表示領域に操作領域が設定されていない場合に、タッチ操作されたアイコンに関連付けられた機能が実行される。また、タッチ操作されたアイコンの表示領域に操作領域が設定されていて、タッチ操作の位置がアイコンの表示領域における操作領域に含まれ、更にタッチ操作がそのタッチ操作された操作領域に対応する操作手順で行われた場合に、タッチ操作されたアイコンに関連付けられた機能が実行される。
【０１１１】
以上のように、本発明の第５実施形態にかかる表示装置１によれば、アイコンの表示領域に複数の操作領域ｍａ１〜ｍａ３が設定されると、タッチ操作の位置がいずれかの操作領域に含まれ、かつタッチ操作がそのタッチ操作された操作領域に対応する操作手順で行われた場合にのみ、アイコンに関連付けられた機能が実行されるので、操作領域が設定されていることを知らない人が表示装置１を操作しても、アイコンの機能を容易に実行することができず、セキュリティを向上させることができ、ユーザーに新たな操作性を提供することが可能となる。
【０１１２】
＜変形例５−１＞
第５実施形態では、操作領域の操作手順として、規定時間の間に操作領域に対して繰り返し行われる規定回数のタッチ操作を例示しているが、他の操作手順を適用してもよい。例えば、操作領域の操作手順として、アイコンの表示領域における各操作領域に対するタッチ操作の順番を設定してもよい。より具体的には、図９に示すアイコンＡ４の表示領域における各操作領域ｍａ１、ｍａ２、ｍａ３に対するタッチ操作の順番を予め設定しておき、各操作領域ｍａ１、ｍａ２、ｍａ３がその順番で順次タッチ操作された場合に、タッチ操作されたアイコンに関連付けられた機能を実行し、また各操作領域ｍａ１、ｍａ２、ｍａ３がその順番でタッチ操作されなかった場合に、タッチ操作されたアイコンに関連付けられた機能を実行しない。
【０１１３】
加えて、各操作領域ｍａ１、ｍａ２、ｍａ３のいずれについても、タッチ操作される順番が回って来たときに、第５実施形態と同様に規定時間の間に操作領域に対して規定回数のタッチ操作が繰り返し行われたか否かを判定してもよい。この場合は、各操作領域ｍａ１、ｍａ２、ｍａ３がその順番で順次タッチ操作され、かつ各操作領域ｍａ１、ｍａ２、ｍａ３のいずれについても、規定時間の間に操作領域に対して規定回数のタッチ操作が繰り返し行われた場合に、タッチ操作されたアイコンに関連付けられた機能を実行する。
【０１１４】
また、各操作領域ｍａ１、ｍａ２、ｍａ３のいずれについても、タッチ操作される順番が回って来たときに、操作領域に対するユーザー操作の方向が規定方向であるか否かを判定してもよい。この場合は、各操作領域ｍａ１、ｍａ２、ｍａ３がその順番で順次ユーザー操作され、かつ各操作領域ｍａ１、ｍａ２、ｍａ３のいずれについても、操作領域に対するユーザー操作の方向が規定方向である場合に、ユーザー操作されたアイコンに関連付けられた機能を実行する。ユーザー操作の規定方向としては、上方向、下方向、右方向、左方向、時計回り方向、反時計回り方向などがある。
【０１１５】
＜変形例５−２＞
第５実施形態においても、第４実施形態に係る上記変形例１−１と同様に、アイコンに関連付けられた機能を実行しない代わりに、予め設定されたダミーデータを表示部１０の画面に表示してもよい。
【０１１６】
また、第４実施形態に係る上記変形例４−２、４−３と同様に、アイコンの表示領域における各操作領域別に、日時に応じて、アイコンの表示領域における操作領域の位置を変更したり、ログインしたユーザーに応じて、アイコンの表示領域における操作領域の位置を変更したりしても構わない。
【０１１７】
＜第６実施形態＞
第６実施形態では、表示制御部１０３は、表示部１０の操作画面Ｄ１の規定位置に配置された機能アイコンＡ４（画像）の代わりに、他の各機能アイコンＡ５、Ａ６、Ａ７（画像）をその規定位置に選択的に表示する。
【０１１８】
詳しくは、各機能アイコンＡ４、Ａ５、Ａ６、Ａ７毎に、アイコンの表示時間帯が設定されている。表示制御部１０３は、表示装置１で計時されている現在の日時を取得し、現在の日時と各機能アイコンＡ４〜Ａ７の表示時間帯を比較して、現在の日時を含む表示時間帯が設定されているアイコンを選択し、この選択したアイコンを操作画面Ｄ１の規定位置に表示する。従って、日時に応じて、各機能アイコンＡ４、Ａ５、Ａ６、Ａ７のいずれかが操作画面Ｄ１の規定位置に選択的に表示される。
【０１１９】
図２３は、各機能アイコンＡ４、Ａ５、Ａ６、Ａ７とそれぞれの表示時間帯を対応付けた表示時間帯テーブルＤｔ４を概念的に示している。この表示時間帯テーブルＤｔ４では、ＡＭ７：００〜ＡＭ９：００の表示時間帯に対応して機能アイコンＡ４が設定され、ＡＭ９：００〜ＰＭ５：００の表示時間帯に対応して機能アイコンＡ５が設定され、ＰＭ５：００〜ＰＭ９：００の表示時間帯に対応して機能アイコンＡ６が設定され、ＰＭ９：００〜ＡＭ７：００の表示時間帯に対応して機能アイコンＡ７が設定されている。
【０１２０】
この場合、ＡＭ７：００〜ＡＭ９：００の表示時間帯には、図２４（ａ）に示すように操作画面Ｄ１の規定位置に機能アイコンＡ４が表示され、ＡＭ９：００〜ＰＭ５：００の表示時間帯には、図２４（ｂ）に示すように操作画面Ｄ１の規定位置に機能アイコンＡ５が表示される。同様に、ＰＭ５：００〜ＰＭ８：００の表示時間帯には、操作画面Ｄ１の規定位置に機能アイコンＡ６が表示され、またＰＭ８：００〜ＡＭ７：００の表示時間帯には、操作画面Ｄ１の規定位置に機能アイコンＡ７が表示される。
【０１２１】
また、各機能アイコンＡ４、Ａ５、Ａ６、Ａ７は、それぞれのインターネットブラウザ機能（インターネットブラウザプログラム）に関連付けられている。これらのインターネットブラウザ機能では、インターネットブラウザ機能の実行時に最初にアクセスされるネット上のサイトが個別に設定されている。このため、各機能アイコンＡ４、Ａ５、Ａ６、Ａ７のいずれが選択されたかにより、最初にアクセスされるサイトが変わる。詳しくは、各機能アイコンＡ４、Ａ５、Ａ６、Ａ７のいずれかが操作画面Ｄ１の規定位置に表示されているときに、ユーザーが規定位置のアイコンにタッチ操作すると、操作受付部１０２により規定位置のアイコンのタッチ操作が受付けられる。そして、制御部１０１は、タッチ操作された規定位置のアイコンに関連付けられたインターネットブラウザ機能を実行する。このインターネットブラウザ機能の実行に伴い、通信制御部１０４が通信部３０を通じて該インターネットブラウザ機能で設定されているネット上のサイトに最初にアクセスして、サイトのデータを受信し、表示制御部１０３がその最初のサイトを表示部１０の画面に表示する。従って、規定位置に表示されているアイコンをタッチ操作すると、日時に応じて表示部１０の画面に最初に表示されるサイトが変わる。
【０１２２】
例えば、ＡＭ７：００〜ＡＭ９：００の表示時間帯に対応する機能アイコンＡ４がタッチ操作されたときには天気予報に係るサイトが最初に表示され、またＡＭ９：００〜ＰＭ５：００の表示時間帯に対応する機能アイコンＡ５がタッチ操作されたときには仕事に頻繁に利用されるサイトが最初に表示され、更にＰＭ５：００〜ＰＭ８：００の表示時間帯に対応する機能アイコンＡ６がタッチ操作されたときにはニュースに係るサイトが最初に表示され、ＰＭ８：００〜ＡＭ７：００の表示時間帯に対応する機能アイコンＡ７がタッチ操作されたときには娯楽に係るサイトが最初に表示されるようにする。このため、ユーザーは、図２３に示す表示時間帯テーブルＤｔ４を予め適宜設定しておくことにより、時間帯に応じて所望のサイトを直ちに見ることが可能となる。
【０１２３】
なお、表示時間帯として、日時だけではなく、曜日や年月日等を設定してもよい。また、操作画面Ｄ１の規定位置に選択的に表示されるアイコンの数を増減しても構わない。更に、アイコンに関連付けられる機能として、インターネットブラウザ機能だけではなく、他の機能を関連付けてもよい。
【０１２４】
次に、第６実施形態の表示装置１の動作について説明する。図２５は、表示装置１による機能アイコンの変更処理を示すフローチャートである。
【０１２５】
表示制御部１０３は、まず、記憶部４０に記憶された操作画面のデータを読み出し、表示部１０に操作画面Ｄ１を表示させる（ステップＳ６０１）。このとき、表示制御部１０３は、表示装置１で計時されている現在の日時を取得し（ステップＳ６０２）、現在の日時と表示時間帯テーブルＤｔ４における各機能アイコンＡ４〜Ａ７の表示時間帯を比較して、現在の日時を含む表示時間帯が設定されているアイコンを選択し（ステップＳ６０３）、このアイコンを表示部１０の操作画面Ｄ１の規定位置に表示する（ステップＳ６０４）。
【０１２６】
そして、上記の操作画面Ｄ１が表示部１０に表示されている状態で、操作受付部１０２が操作画面に配置されたアイコンのタッチ操作を受け付けると（ステップＳ６０５で「Ｙｅｓ」）、制御部１０１は、タッチ操作されたアイコンに関連付けられた機能を実行する（ステップＳ６０６）。
【０１２７】
例えば、図２４（ａ）に示すような操作画面Ｄ１において、操作受付部１０２が機能アイコンＡ１を選択するタッチ操作を受け付けた場合、制御部１０１は、機能アイコンＡ１に関連付けられたメール機能を実行する。また、操作受付部１０２が機能アイコンＡ４を選択するタッチ操作を受け付けた場合、制御部１０１は、機能アイコンＡ４に関連付けられたインターネットブラウザ機能を実行する。これにより、該インターネットブラウザ機能で設定されているサイトが最初にアクセスされて、表示制御部１０３がその最初にアクセスされたサイトを表示部１０の画面に表示する。
【０１２８】
また、他の各機能アイコンＡ５〜Ａ７のいずれかが操作画面Ｄ１の規定位置に表示されているときに、該他の各機能アイコンＡ５〜Ａ７のいずれかを選択するユーザー操作が受付けられた場合、このユーザー操作が受付けられたアイコンに関連付けられたインターネットブラウザ機能が実行され、該インターネットブラウザ機能で設定されているサイトが最初にアクセスされて、その最初にアクセスされたサイトが表示部１０の画面に表示される。
【０１２９】
以降、各ステップＳ６０２〜Ｓ６０６の処理が定期的に繰り返されることにより、現在の日時を含む表示時間帯が設定されている各機能アイコンＡ４〜Ａ７のいずれかが操作画面Ｄ１の規定位置に表示され、操作画面Ｄ１上の機能アイコンが選択されると、この選択された機能アイコンに関連付けられた機能が実行される。
【０１３０】
以上のように、本発明の第６実施形態にかかる表示装置１によれば、操作画面Ｄ１の規定位置には、現在の日時等に応じて各機能アイコンＡ４〜Ａ７が選択的に表示されるので、ユーザーにとって使い勝手が向上し、ユーザーに新たな操作性を提供することが可能となる。
【０１３１】
＜第７実施形態＞
次に、本発明の第７実施形態の表示装置について説明する。第７実施形態の表示装置１は、第６実施形態と表示制御部１０３による表示部１０の操作画面の表示制御が異なり、操作画面の表示形態も異なる。
【０１３２】
第７実施形態では、表示装置１の表示部１０に、図２６に示すように複数の機能アイコンＡ１〜Ａ３及び合成アイコンＢ１を配置した操作画面Ｄ２が表示される。各機能アイコンＡ１〜Ａ３は、それぞれの機能に関連付けられている。また、合成アイコンＢ１は、複数の機能アイコンＢ１１、Ｂ１２、Ｂ１３を合成したものであり、これらの機能アイコンＢ１１、Ｂ１２、Ｂ１３がそれぞれの機能に関連付けられている。例えば、各機能アイコンＢ１１、Ｂ１２、Ｂ１３は、それぞれのインターネットブラウザ機能に関連付けられている。これらのインターネットブラウザ機能では、インターネットブラウザ機能の実行時に最初にアクセスされるサイトが個別に設定されている。例えば、機能アイコンＢ１１がタッチ操作されたときには天気予報に係るサイトが最初に表示され、また機能アイコンＢ１２がタッチ操作されたときには仕事に頻繁に利用されるサイトが最初に表示され、更に機能アイコンＢ１３がタッチ操作されたときには娯楽に係るサイトが最初に表示される。
【０１３３】
このような各機能アイコンＢ１１、Ｂ１２、Ｂ１３を合成してなる合成アイコンＢ１は、次のような手順で作成される。
【０１３４】
まず、図２７（ａ）に示すように表示部１０の操作画面Ｄ２には、各機能アイコンＢ１１、Ｂ１２、Ｂ１３が表示されているものとする。この状態で、機能アイコンＢ１１に対するスライド操作が行われると、このスライド操作を操作受付部１０２が受け付け、表示制御部１０３は、機能アイコンＢ１１をそのスライド操作の方向に移動させる処理を行う。そして、図２７（ｂ）に示すように機能アイコンＢ１１が他の機能アイコンＢ１２に接する位置まで移動されると、表示制御部１０３は、図２７（ｃ）に示すように各機能アイコンＢ１１、Ｂ１２に対して横方向の縮小処理を施し、横方向に縮小された各機能アイコンＢ１１、Ｂ１２を合成して、合成アイコンＢ２を生成する。更に、図２７（ｄ）に示すように機能アイコンＢ１３に対するスライド操作が行われて、機能アイコンＢ１３が合成アイコンＢ２に接する位置まで移動されると、図２７（ｅ）に示すように機能アイコンＢ１３に対して横方向の縮小処理が施され、横方向に縮小された機能アイコンＢ１３が合成アイコンＢ２に合成されて、合成アイコンＢ１が生成される。これにより、各機能アイコンＢ１１〜Ｂ１３を合成してなる合成アイコンＢ１が生成される。
【０１３５】
更に、第７実施形態では、表示制御部１０３による表示部１０の制御で、合成アイコンＢ１の表示サイズ及び表示領域が一定に維持されながらも、合成アイコンＢ１における各機能アイコンＢ１１〜Ｂ１３の表示サイズが変更される。詳しくは、機能アイコンＢ１１〜Ｂ１３毎に、アイコンの表示時間帯が設定されている。表示制御部１０３は、表示装置１で計時されている現在の日時を取得し、現在の日時と各機能アイコンＢ１１〜Ｂ１３の表示時間帯を比較して、現在の日時を含む表示時間帯が設定されているアイコンを選択し、この選択したアイコンを最大の表示サイズで表示し、他のアイコンを最小の表示サイズで表示する。
【０１３６】
図２８は、各機能アイコンＢ１１、Ｂ１２、Ｂ１３とそれぞれの表示時間帯を対応付けた表示時間帯テーブルＤｔ５を概念的に示している。この表示時間帯テーブルＤｔ５では、ＡＭ７：００〜ＡＭ９：００の表示時間帯に対応して機能アイコンＢ１１が設定され、ＡＭ９：００〜ＰＭ５：００の表示時間帯に対応して機能アイコンＢ１２が設定され、ＰＭ５：００〜ＡＭ７：００の表示時間帯に対応して機能アイコンＢ１３が設定されている。
【０１３７】
この場合、ＡＭ７：００〜ＡＭ９：００の表示時間帯には、図２９（ａ）に示すように合成アイコンＢ１において機能アイコンＢ１１が横方向に伸張されて最大の表示サイズで表示されると共に他の各機能アイコンＢ１２、Ｂ１３が横方向に縮小されて最小の表示サイズで表示される。また、ＡＭ９：００〜ＰＭ５：００の表示時間帯には、図２９（ｂ）に示すように合成アイコンＢ１において機能アイコンＢ１２が最大の表示サイズで表示されると共に他の各機能アイコンＢ１１、Ｂ１３が最小の表示サイズで表示される。更に、ＰＭ５：００〜ＡＭ７：００の表示時間帯には、図２９（ｃ）に示すように合成アイコンＢ１において機能アイコンＢ１３が最大の表示サイズで表示されると共に他の各機能アイコンＢ１１、Ｂ１２が最小の表示サイズで表示される。
【０１３８】
このため、合成アイコンＢ１の中央付近がタッチ操作されると、最大の表示サイズで表示されている機能アイコンが選択されて、この機能アイコンに関連付けられたインターネットブラウザ機能が実行され、該インターネットブラウザ機能で設定されているサイトが最初にアクセスされて、その最初にアクセスされたサイトが表示部１０の画面に表示される。
【０１３９】
例えば、ＡＭ７：００〜ＡＭ９：００の表示時間帯では、機能アイコンＢ１１が最大の表示サイズで表示されるため、合成アイコンＢ１の中央付近がタッチ操作されると、機能アイコンＢ１１が選択されて、機能アイコンＢ１１に関連付けられたインターネットブラウザ機能が実行され、天気予報に係るサイトが最初にアクセスされて表示される。また、ＡＭ９：００〜ＰＭ５：００の表示時間帯では、機能アイコンＢ１２が最大の表示サイズで表示されるため、合成アイコンＢ１の中央付近がタッチ操作されると、機能アイコンＢ１２が選択されて、仕事に頻繁に利用されるサイトが最初にアクセスされて表示される。同様に、ＰＭ５：００〜ＡＭ７：００の表示時間帯では、機能アイコンＢ１３が最大の表示サイズで表示されるため、合成アイコンＢ１の中央付近がタッチ操作されると、機能アイコンＢ１３が選択されて、娯楽に係るサイトが最初にアクセスされて表示される。このため、ユーザーは、図２８に示す表示時間帯テーブルＤｔ５を予め適宜設定しておくことにより、時間帯に応じて所望のサイトを直ちに見ることが可能となる。
【０１４０】
また、合成アイコンＢ１における各機能アイコンＢ１１〜Ｂ１３の表示サイズが変更されるだけであって、各機能アイコンＢ１１〜Ｂ１３の表示が維持されるので、現在の日時にかかわらず、各機能アイコンＢ１１〜Ｂ１３のいずれにもタッチ操作することができ、それぞれのアイコンに関連付けられたインターネットブラウザ機能を実行することが可能である。
【０１４１】
なお、表示時間帯として、日時だけではなく、曜日や年月日等を設定してもよい。また、合成アイコンＢ１に含まれる機能アイコンの数を増減しても構わない。更に、機能アイコンに関連付けられる機能として、インターネットブラウザ機能だけではなく、他の機能を関連付けてもよい。
【０１４２】
次に、第７実施形態の表示装置１の動作について説明する。図３０は、表示装置１による合成アイコンにおける機能アイコンの表示サイズの変更処理を示すフローチャートである。
【０１４３】
表示制御部１０３は、まず、記憶部４０に記憶された操作画面のデータを読み出し、表示部１０に操作画面を表示させる（ステップＳ７０１）。このとき、表示制御部１０３は、表示装置１で計時されている現在の日時を取得し（ステップＳ７０２）、現在の日時と表示時間帯テーブルＤｔ５における各機能アイコンＢ１１〜Ｂ１２の表示時間帯を比較して、現在の日時を含む表示時間帯が設定されているアイコンを選択し（ステップＳ７０３）、このアイコンについては、最大の表示サイズで表示し、他のアイコンについては、最小の表示サイズで表示する（ステップＳ７０４）。
【０１４４】
そして、上記のような操作画面Ｄ２が表示部１０に表示されている状態で、操作受付部１０２が操作画面Ｄ２に配置されたアイコンのタッチ操作を受け付けると（ステップＳ７０５で「Ｙｅｓ」）、制御部１０１は、タッチ操作されたアイコンに関連付けられた機能を実行する（ステップＳ７０６）。例えば、操作画面Ｄ２において、操作受付部１０２が合成アイコンＢ１に含まれる各機能アイコンＢ１１〜Ｂ１３のいずれかを選択するタッチ操作を受け付けた場合、制御部１０１は、その選択された機能アイコンに関連付けられたインターネットブラウザ機能を実行する。これにより、該インターネットブラウザ機能で設定されているサイトが最初にアクセスされて、表示制御部１０３がその最初にアクセスされたサイトを表示部１０の画面に表示する。
【０１４５】
以降、各ステップＳ７０２〜Ｓ７０６の処理が定期的に繰り返されることにより、現在の日時を含む表示時間帯が設定されているアイコンが最大の表示サイズで表示されると共に他のアイコンが最小の表示サイズで表示され、いずれかの機能アイコンが選択されると、この選択された機能アイコンに関連付けられた機能が実行される。
【０１４６】
以上のように、本発明の第７実施形態にかかる表示装置１によれば、合成アイコンＢ１において、現在の日時等に応じて各機能アイコンＢ１１〜Ｂ１３のいずれかが最大の表示サイズで表示されるので、この最大の表示サイズの機能アイコンを容易に選択することができ、ユーザーにとって使い勝手が向上し、ユーザーに新たな操作性を提供することが可能となる。
【０１４７】
なお、第７実施形態では、各機能アイコンＢ１１〜Ｂ１３に対して横方向の縮小処理や伸張処理を施し、各機能アイコンＢ１１〜Ｂ１３を横方向に配列して、合成アイコンＢ１を生成しているが、各機能アイコンＢ１１〜Ｂ１３に対する縦方向の縮小処理や伸張処理、縦方向の配列により、合成アイコンを生成しても構わない。また、各機能アイコンＢ１１〜Ｂ１３別に、サイズが異なる大小の機能アイコンの画像を予め作成して記憶部４０に記憶しておき、大小の機能アイコンの画像を組み合わせて、合成アイコンを生成しても構わない。
【０１４８】
以下では、他の変形例について説明する。上記の実施形態では、表示制御部１０３が、日時に応じて本表示装置が有する機能を示す複数の画像の中から画像を選択し、当該選択した画像を表示画面に配置されたアイコン内に表示させる場合を説明した。これに対して、変形例にかかる表示装置１では、表示制御部１０３が、日時に加えて、表示装置１を使用しているユーザーに応じて、本表示装置が有する機能を示す複数の画像の中から画像を選択する。
【０１４９】
変形例にかかる表示装置１では、表示制御プログラムがＣＰＵに実行されることにより、制御ユニット１００が、更にユーザー特定部として機能する。ユーザー特定部は、操作受付部１０２が表示装置１へのログイン操作を受け付けた場合に、当該ログイン操作でログインしたユーザーを、表示装置１を使用しているユーザーとして特定する。また、表示装置１が指紋認証や顔認証などの生体認証を行うことができる生体認証センサーや、ユーザーを識別する識別番号を記憶したＩＤカードを読み取るＩＤカードリーダーなどを備えている場合、ユーザー特定部は、当該生体認証センサーやＩＤカードリーダーから出力された情報を用いて、表示装置１を使用しているユーザーを特定してもよい。
【０１５０】
変形例にかかる表示装置１では、図２３に示す表示時間帯テーブルが、ユーザー毎に記憶部４０に記憶されている。表示制御部１０３は、ユーザー特定部が特定したユーザーに対応する表示時間帯テーブルを選択し、当該選択した表示時間帯テーブルを参照して現在の日時に対応する機能アイコンを特定する。そして、表示制御部１０３は、特定した機能アイコンを表示部１０に表示させる。
【０１５１】
所望する機能アイコンは、日時だけでなくユーザー毎に異なることがある。例えば、午前中の時間帯に天気予報に係るサイトを閲覧したいユーザーもいれば、午前中の時間帯にニュースサイトを閲覧したいユーザーもいる。変形例にかかる表示装置１によれば、現在表示装置１を使用しているユーザーにより適した機能アイコンを表示することができるため、ユーザー利便性を更に向上させることができる。
【０１５２】
なお、上記各実施形態では、操作画面に表示されるアイコンとして、略正方形状のものを例示しているが、アイコンの形状は特に限定されるものではなく、例えばアイコンが略円形状であってもよい。
【０１５３】
また、上記各実施の形態で説明した表示制御方法は、プログラムとして提供することができる。このプログラムは、コンピューターにより読み取り可能な非一時的な記録媒体、例えば、ハードディスク、ＣＤ−ＲＯＭ、ＤＶＤ−ＲＯＭ、半導体メモリーなどに記録される。この場合、当該プログラムを記録したコンピューターにより読み取り可能な非一時的な記録媒体が、本発明の一実施形態となる。
【０１５４】
また、上記各実施形態及び各変形例を組み合わせてもよい。
【図１】
2017169630.tif 000003
【図２】
2017169630.tif 000004
【図３】
2017169630.tif 000005
【図４】
2017169630.tif 000006
【図５】
2017169630.tif 000007
【図６】
2017169630.tif 000008
【図７】
2017169630.tif 000009
【図８】
2017169630.tif 000010
【図９】
2017169630.tif 000011
【図１０】
2017169630.tif 000012
【図１１】
2017169630.tif 000013
【図１２】
2017169630.tif 000014
【図１３】
2017169630.tif 000015
【図１４】
2017169630.tif 000016
【図１５】
2017169630.tif 000017
【図１６】
2017169630.tif 000018
【図１７】
2017169630.tif 000019
【図１８】
2017169630.tif 000020
【図１９】
2017169630.tif 000021
【図２０】
2017169630.tif 000022
【図２１】
2017169630.tif 000023
【図２２】
2017169630.tif 000024
【図２３】
2017169630.tif 000025
【図２４】
2017169630.tif 000026
【図２５】
2017169630.tif 000027
【図２６】
2017169630.tif 000028
【図２７】
2017169630.tif 000029
【図２８】
2017169630.tif 000030
【図２９】
2017169630.tif 000031
【図３０】
2017169630.tif 000032
【手続補正書】
【提出日】平成30年6月6日(2018.6.6)
【手続補正１】
【補正対象書類名】特許請求の範囲
【補正対象項目名】全文
【補正方法】変更
【補正の内容】
【特許請求の範囲】
【請求項１】
表示部と、
前記表示部の表示動作を制御する表示制御部と、
前記表示部の画面に配置されたタッチパネルと、
前記タッチパネルを通じてユーザー操作を受け付ける操作受付部と、
前記操作受付部が受け付けたユーザー操作に応じた処理を実行する処理部と、を備え、
前記表示制御部は、本表示装置が備える機能が関連付けられたアイコンであって、当該アイコン内に複数の領域が設けられたアイコンを前記表示部の画面に表示させ、
前記操作受付部は、前記アイコンに対するユーザー操作を受け付けた場合に、当該操作が前記アイコン内の何れの領域に対するユーザー操作であるかを判定し、
前記処理部は、前記操作受付部が前記アイコンに対するユーザー操作を受け付けた場合、前記アイコンに関連付けられた機能に関する処理であって、前記操作が行われた前記領域に応じた処理を行い、
更に、前記表示制御部は、前記アイコンに関連付けられた前記機能である第１の機能とは別の第２の機能を示す第２機能画像を前記アイコン内の前記領域に表示させ、
前記処理部は、前記操作受付部が前記タッチパネルを通じて前記第２機能画像に対するユーザー操作を受け付けた場合に、前記アイコンに対応する前記第１の機能を、該第２機能画像に対応する前記第２の機能に関連付けて実行する表示装置。
【請求項２】
前記第２の機能は、印刷機能であり、
前記処理部は、前記操作受付部が前記タッチパネルを通じて前記第２機能画像に対するユーザー操作を受け付けた場合に、前記アイコンに対応する前記第１の機能に関連付けられたファイルを外部の画像形成装置に印刷させる、請求項１に記載の表示装置。
【請求項３】
前記アイコンを示す画像中には、階層構造の関係を有する複数のフォルダおよび／またはファイルを示す複数の第２機能画像が表示され、
前記表示制御部は、前記操作受付部が前記第２機能画像に対するユーザー操作を受け付けた場合に、該第２機能画像に対応するフォルダ内に含まれるフォルダおよび／またはファイルを示す第２機能画像を、前記アイコンを示す画像中に表示させる、請求項１に記載の表示装置。
【請求項４】
前記アイコンを示す画像中には、複数の第２機能画像が表示され
前記操作受付部は、前記タッチパネルを通じて、前記アイコンに対するユーザー操作の接触範囲を検出し、前記各第２機能画像のうちから前記接触範囲に重なる面積が最も広い第２機能画像を選択して、この選択した第２機能画像に対するユーザー操作を受け付ける、請求項１に記載の表示装置。
【請求項５】
前記アイコンを示す画像中には、複数の第２機能画像が表示され
前記操作受付部は、前記タッチパネルを通じて、前記各第２機能画像のうちからユーザー操作が交差した２つ以上の第２機能画像に対するユーザー操作を受け付け、
前記処理部は、前記アイコンに対応する前記第１の機能を、前記２つ以上の第２機能画像に対応するそれぞれの前記第２の機能に関連付けて実行する、請求項１に記載の表示装置。
【請求項６】
表示部と、
前記表示部の表示動作を制御する表示制御部と、
前記表示部の画面に配置されたタッチパネルと、
前記タッチパネルを通じてユーザー操作を受け付ける操作受付部と、
前記操作受付部が受け付けたユーザー操作に応じた処理を実行する処理部と、を備え、
前記表示制御部は、本表示装置が備える機能が関連付けられたアイコンであって、当該アイコン内に操作領域が設けられたアイコンを前記表示部の画面に表示させ、
前記操作受付部は、前記アイコンに対するユーザー操作を受け付けた場合に、当該操作が前記アイコン内の前記操作領域に対するユーザー操作であるかを判定し、
前記処理部は、前記操作受付部が前記アイコンに対するユーザー操作を受け付けた場合、前記アイコンに関連付けられた機能に関する処理であって、前記操作が行われた前記操作領域に応じた処理を行い、前記操作受付部が前記操作領域を除く他の領域に対するユーザー操作を判定した場合に、前記アイコンに関連付けられた機能を実行せず、
前記表示制御部は、前記操作受付部が前記操作領域を除く他の領域に対するユーザー操作を判定した場合に、予め設定されたダミーデータを前記表示部に表示する表示装置。
【請求項７】
表示部と、
前記表示部の表示動作を制御する表示制御部と、
前記表示部の画面に配置されたタッチパネルと、
前記タッチパネルを通じてユーザー操作を受け付ける操作受付部と、
前記操作受付部が受け付けたユーザー操作に応じた処理を実行する処理部と、を備え、
前記表示制御部は、本表示装置が備える機能が関連付けられたアイコンであって、当該アイコン内に操作領域が設けられたアイコンを前記表示部の画面に表示させ、
前記操作受付部は、前記アイコンに対するユーザー操作を受け付けた場合に、当該操作が前記アイコン内の前記操作領域に対するユーザー操作であるかを判定し、
前記処理部は、前記操作受付部が前記アイコンに対するユーザー操作を受け付けた場合、前記アイコンに関連付けられた機能に関する処理であって、前記操作が行われた前記操作領域に応じた処理を行い、前記操作受付部が前記操作領域を除く他の領域に対するユーザー操作を判定した場合に、前記アイコンに関連付けられた機能を実行せず、
前記操作受付部は、前記表示装置にログインしたユーザーに応じて、前記アイコンの表示領域における前記操作領域の位置を変更する表示装置。
【請求項８】
表示部と、
前記表示部の表示動作を制御する表示制御部と、
前記表示部の画面に配置されたタッチパネルと、
前記タッチパネルを通じてユーザー操作を受け付ける操作受付部と、
前記操作受付部が受け付けたユーザー操作に応じた処理を実行する処理部と、を備え、
前記表示制御部は、本表示装置が備える機能が関連付けられたアイコンであって、当該アイコン内に操作領域が設けられたアイコンを前記表示部の画面に表示させ、
前記操作受付部は、前記アイコンに対するユーザー操作を受け付けた場合に、当該操作が前記アイコン内の前記操作領域に対するユーザー操作であるかを判定し、
前記処理部は、前記操作受付部が前記アイコンに対するユーザー操作を受け付けた場合、前記アイコンに関連付けられた機能に関する処理であって、前記操作が行われた前記操作領域に応じた処理を行い、前記操作受付部が前記操作領域を除く他の領域に対するユーザー操作を判定した場合に、前記アイコンに関連付けられた機能を実行せず、
前記操作受付部は、更に、前記操作領域に対するユーザー操作が、予め設定された操作手順のユーザー操作であるか、または、前記予め設定された操作手順とは異なるユーザー操作であるかを判定し、
前記処理部は、前記ユーザー操作が前記操作領域に対するユーザー操作であり、かつ、前記予め設定された操作手順のユーザー操作であると前記操作受付部が判定した場合に、前記アイコンに関連付けられた機能を実行し、
前記予め設定された操作手順のユーザー操作は、前記操作領域に対する予め定められた方向へのスライド操作である表示装置。
【請求項９】
表示部と、
前記表示部の表示動作を制御する表示制御部と、
前記表示部の画面に配置されたタッチパネルと、
前記タッチパネルを通じてユーザー操作を受け付ける操作受付部と、
前記操作受付部が受け付けたユーザー操作に応じた処理を実行する処理部と、を備え、
前記表示制御部は、本表示装置が備える機能が関連付けられたアイコンであって、当該アイコン内に操作領域が設けられたアイコンを前記表示部の画面に表示させ、
前記操作受付部は、前記アイコンに対するユーザー操作を受け付けた場合に、当該操作が前記アイコン内の前記操作領域に対するユーザー操作であるかを判定し、
前記処理部は、前記操作受付部が前記アイコンに対するユーザー操作を受け付けた場合、前記アイコンに関連付けられた機能に関する処理であって、前記操作が行われた前記操作領域に応じた処理を行い、
前記表示制御部は、（ｉ）前記表示画面に配置されたアイコン内に、本表示装置が有する機能を示す複数の画像からなる合成画像を表示させ、（ii）日時に応じて、前記合成画像を構成する前記各画像の表示サイズを変更し、
前記処理部は、前記操作受付部が前記アイコンに対するユーザー操作を受け付けた場合に、前記合成画像を構成する複数の画像のうち、当該ユーザー操作がなされた画像に対応する機能を実行する表示装置。
【請求項１０】
前記表示制御部は、日時に応じて、本表示装置が有する機能を示す複数の画像の中から１つの画像を選択し、当該選択した１つの画像の表示サイズを前記合成画像を構成する他の画像の表示サイズよりも大きくする、請求項９に記載の表示装置。
【手続補正２】
【補正対象書類名】明細書
【補正対象項目名】全文
【補正方法】変更
【補正の内容】
【発明の詳細な説明】
【技術分野】
【０００１】
本発明は、表示装置に関し、特に複数のアイコンが配置された操作画面を表示する技術に関する。
【背景技術】
【０００２】
スマートフォンなどの携帯端末装置（表示装置とも称す）は、様々な機能に関連付けられたアイコンが配置された操作画面を表示する。ユーザーは、当該操作画面において所望のアイコンを選択することで、表示装置に所望の機能を実行させることができる（例えば、下記の特許文献１を参照）。また、ユーザーは、アイコンをスライド操作することで、操作画面に配置されたアイコンの配置位置を変更することができる。
【先行技術文献】
【特許文献】
【０００３】
【特許文献１】特開２００９−２９４８５０号公報
【発明の概要】
【発明が解決しようとする課題】
【０００４】
上記のように、アイコンをスライド操作することで操作画面に配置されたアイコンの配置位置を変更することができる。しかしながら、このような複数のアイコンが配置された操作画面においては、アイコンの配置位置を変更するだけでなく、アイコンに関して様々な操作を行えることが求められている。例えば、アイコンに対応する機能を実行させる際に、この機能に係る別の機能をより簡単な操作で同時に実行させることが望まれているが、上記の表示装置ではこの要望に応えることはできない。
【０００５】
本発明は、上記の事情に鑑みなされたものであり、複数のアイコンが配置された操作画面において、新たな操作性を提供することを目的とする。
【課題を解決するための手段】
【０００６】
本発明の一局面にかかる表示装置は、表示部と、前記表示部の表示動作を制御する表示制御部と、前記表示部の画面に配置されたタッチパネルと、前記タッチパネルを通じてユーザー操作を受け付ける操作受付部と、前記操作受付部が受け付けたユーザー操作に応じた処理を実行する処理部と、を備え、前記表示制御部は、本表示装置が備える機能が関連付けられたアイコンであって、当該アイコン内に複数の領域が設けられたアイコンを前記表示部の画面に表示させ、前記操作受付部は、前記アイコンに対するユーザー操作を受け付けた場合に、当該操作が前記アイコン内の何れの領域に対するユーザー操作であるかを判定し、前記処理部は、前記操作受付部が前記アイコンに対するユーザー操作を受け付けた場合、前記アイコンに関連付けられた機能に関する処理であって、前記操作が行われた前記領域に応じた処理を行う、表示装置である。
【発明の効果】
【０００７】
本発明によれば、複数のアイコンが配置された操作画面において、新たな操作性を提供することができる。
【図面の簡単な説明】
【０００８】
【図１】本発明の実施形態にかかる表示装置の外観を示す正面図である。
【図２】本発明の実施形態にかかる表示装置の内部構成を示すブロック図である。
【図３】（ａ）〜（ｃ）は、第１実施形態にかかる表示装置の操作画面に表示されているアイコンを示す画像中における第２機能画像の設定手順を示す図である。
【図４】第１実施形態にかかる表示装置によるアイコンの操作に基づく制御手順を示すフローチャートである。
【図５】第１実施形態の変形例にかかるアイコンを示す画像中における複数の第２機能画像を示す図である。
【図６】第１実施形態の他の変形例にかかるアイコンを示す画像中における複数の第２機能画像を示す図である。
【図７】第２実施形態にかかる表示装置の操作画面を示す図である。
【図８】フォルダ及びファイルの階層構造を例示する図である。
【図９】第２実施形態にかかる表示装置によるアイコンの操作に基づく制御手順を示すフローチャートである。
【図１０】（ａ）〜（ｃ）は、第２実施形態にかかる表示装置の操作画面に表示されているアイコンを示す画像中における階層構造を示す図である。
【図１１】（ａ）〜（ｃ）は、第２実施形態にかかる表示装置の操作画面に表示されているアイコンの表示領域を示す図である。
【図１２】第３実施形態にかかる表示装置の操作画面を示す図である。
【図１３】（ａ）〜（ｆ）は、第３実施形態におけるアイコンに対するスライド操作の操作方向を例示する図である。
【図１４】第３実施形態にかかる表示装置によるアイコンの操作に基づく制御手順を示すフローチャートである。
【図１５】第４実施形態にかかる表示装置によるアイコンの選択操作を示すフローチャートである。
【図１６】第４実施形態の変形例における操作領域の位置と時間帯を対応付けた操作領域位置テーブルを概念的に示す図である。
【図１７】（ａ）〜（ｃ）は、操作領域位置テーブルを用いた場合の表示装置における操作領域の位置の変化を示す図である。
【図１８】第４実施形態の変形例における操作領域の位置とログインパスワードを対応付けた操作領域位置テーブルを概念的に示す図である。
【図１９】（ａ）〜（ｆ）は、第４実施形態の変形例における操作領域対するユーザー操作の方向を例示する図である。
【図２０】第５実施形態にかかる表示装置の操作画面を例示する図である。
【図２１】第５実施形態にかかる表示装置における操作領域と操作手順を対応付けた操作手順テーブルを概念的に示す図である。
【図２２】第５実施形態にかかる表示装置によるアイコンの選択操作を示すフローチャートである。
【図２３】第６実施形態にかかる表示装置における各機能アイコンとそれぞれの表示時間帯を対応付けた表示時間帯テーブルを概念的に示す図である。
【図２４】（ａ）および（ｂ）は、第６実施形態にかかる表示装置の操作画面の現在の日時に応じた変化を示す図である。
【図２５】第６実施形態にかかる表示装置による表示制御の処理を示すフローチャートである。
【図２６】第７実施形態にかかる表示装置の操作画面の一例を示す図である。
【図２７】（ａ）〜（ｅ）は、第７実施形態にかかる表示装置の操作画面における合成アイコンの作成手順を示す図である。
【図２８】第７実施形態にかかる表示装置における各機能アイコンとそれぞれの表示時間帯を対応付けた表示時間帯テーブルを概念的に示す図である。
【図２９】（ａ）〜（ｃ）は、第７実施形態にかかる表示装置の操作画面の現在の日時に応じた変化を示す図である。
【図３０】第７実施形態にかかる表示装置による表示制御の処理を示すフローチャートである。
【発明を実施するための形態】
【０００９】
以下、本発明の実施形態にかかる表示装置について図面を参照して説明する。
【００１０】
＜第１実施形態＞
図１は、本発明の第１実施形態にかかる表示装置の外観を示す正面図である。図２は、本発明の第１実施形態にかかる表示装置の内部構成を示すブロック図である。
【００１１】
本発明の第１実施形態にかかる表示装置１は、例えば、スマートフォンなどの携帯端末装置であって、表示部１０と、タッチパネル２０と、通信部３０と、記憶部４０と、制御ユニット１００とを備えている。これらの構成要素は、互いにバスを通じてデータ又は信号の送受信が可能とされている。
【００１２】
表示部１０は、液晶ディスプレイ（ＬＣＤ：Liquid Crystal Display）や有機ＥＬ（ＯＬＥＤ：Organic Light-Emitting Diode）などから構成される。図１に示すように、表示部１０は、複数のアイコンＡ１〜Ａ４が配置された操作画面Ｄ１を表示する。これらのアイコンＡ１〜Ａ４には、それぞれ、表示装置１が備える予め定められた様々な機能やファイルに対応づけられている。例えばアイコンＡ１は、メール機能に対応付けられている。また、アイコンＡ２は、テキストファイルに対応付けられ、アイコンＡ３は、音楽ファイルに対応付けられ、アイコンＡ４は、インターネットブラウザ機能に対応付けられている。
【００１３】
タッチパネル２０は、所謂抵抗膜方式や静電容量方式等のタッチパネルである。タッチパネル２０は、表示部１０の画面に配置され、表示部１０の操作画面Ｄ１上のアイコンに対する指などの接触をその接触位置と共に検知する。タッチパネル２０は、指などの接触を検知すると、その接触位置の座標を示す検知信号を制御ユニット１００の後述する操作受付部１０２などに出力する。このように、タッチパネル２０は、表示部１０の操作画面Ｄ１に対するユーザー操作が入力される操作部としての役割を果たす。
【００１４】
なお、タッチパネル２０には、操作画面への直接の接触がなくても、ユーザーの指などが操作画面に対して一定距離まで接近した場合に当該指などを検出するタッチパネルも含まれる。このため、本実施形態でいう「接触」には、操作画面への接触がなくても指などが上記一定距離まで接近したことがタッチパネル２０の機能により検出される状態も、実質的に接触したとして含まれるものとする。
【００１５】
また、表示装置１は、ユーザー操作が入力される操作部として、上記のタッチパネル２０に加えて物理キーを備えてもよい。当該物理キーには、例えば、矢印キー、ページアップ（Page Up）キー、ページダウン（Page Down）キーなどがある。
【００１６】
通信部３０は、不図示のＬＡＮチップなどの通信モジュールを備える通信インターフェイスである。表示装置１は、ネットワークを介してＰＣ（Personal Computer）などの他の情報処理装置と接続されており、通信部３０により接続されたＰＣなどとの間でデータの送受信を行う。
【００１７】
記憶部４０は、ＲＡＭ（Random Access Memory）、ＨＤＤ（Hard Disk Drive）などの大容量の記憶装置である。
【００１８】
制御ユニット１００は、ＣＰＵ(Central Processing Unit)、ＲＡＭ（Random Access Memory）、及びＲＯＭ（Read Only Memory）等から構成される。制御ユニット１００は、上記のＲＯＭ又は記憶部４０に記憶された制御プログラムが上記のＣＰＵに実行されることにより、制御部１０１、操作受付部１０２、表示制御部１０３、および通信制御部１０４として機能する。なお、制御ユニット１００の上記の各構成要素は、前述の制御プログラムに基づく動作によらず、それぞれハード回路により構成されてもよい。
【００１９】
制御部１０１は、表示装置１の全体的な動作制御を司る。制御部１０１は、表示部１０、タッチパネル２０、通信部３０、および記憶部４０などと接続されており、接続されている上記各構成要素の動作制御や、各構成要素との間での信号またはデータの送受信を行う。
【００２０】
制御部１０１は、特に、後述する操作受付部１０２が受け付けた操作に応じた処理を実行する処理部としての役割を果たす。例えば、ユーザーによりタッチパネル２０を通じて図１に示すアイコンＡ１を選択する操作が行われ、操作受付部１０２がアイコンＡ１のユーザー操作（選択操作ともいう）を受け付けた場合に、制御部１０１は、アイコンＡ１に対応付けられたメール機能を実行する。具体的には、制御部１０１は、記憶部４０などに記憶されているメールプログラムを実行する。
【００２１】
操作受付部１０２は、タッチパネル２０から出力される検知信号に基づき、ユーザーにより入力されたユーザー操作を特定する。そして、操作受付部１０２は、特定したユーザー操作を受け付け、当該ユーザー操作に対応する制御信号を制御部１０１、表示制御部１０３、および通信制御部１０４などに出力する。
【００２２】
ここでユーザー操作には、タッチ操作、スライド操作（フリック操作やスワイプ操作を含む）、ドラッグ操作、ピンチアウト操作、ピンチイン操作などがある。例えば、ユーザーがタッチパネル２０上に指を接触させ、その後その接触位置から指を離すと、タッチパネル２０は、接触を検知した位置を示す検知信号を操作受付部１０２に出力する。操作受付部１０２は、当該検知信号を受け、ユーザーにより入力されたユーザー操作がタッチ操作であることを特定し、当該タッチ操作を受け付ける。また、タッチパネル２０上に指を接触させた状態で指を移動させると、タッチパネル２０は、最初に接触を検出した初期位置から最後に接触を検出した最終位置までの各移動位置を示す検知信号を操作受付部１０２に出力する。操作受付部１０２は、当該検知信号を受け、ユーザーにより入力されたユーザー操作がスライド操作であること、及びスライド操作の操作方向を特定し、当該スライド操作を受け付ける。
【００２３】
通信制御部１０４は、通信部３０の通信動作を制御する機能を有する。また、表示制御部１０３は、表示部１０の表示動作を制御する機能を有する。
【００２４】
ところで、第１実施形態では、アイコンに対応する機能を実行する際に、この機能に係る別の機能をより簡単な操作で実行させることが可能にされている。詳しくは、アイコン及び該アイコンを示す画像中に設定された第２機能画像を表示部１０の画面に表示しておき、第２機能画像に対するタッチ操作が行われた場合に、アイコンに対応する機能を、第２機能画像に対応する機能に関連付けて実行している。このため、第２機能画像に対する一度のタッチ操作を行うことにより、２つの機能を関連付けて実行させることができ、操作を簡単化させることができる。
【００２５】
例えば、表示部１０の操作画面Ｄ１に表示されているアイコンＡ２を示す画像中には、表示領域よりも小さな第２機能画像ｍａが設定されている。この第２機能画像ｍａは、例えば、次のような手順で設定される。
【００２６】
まず、図３（ａ）に示すように表示部１０の操作画面Ｄ１には、各アイコンＡ１〜Ａ４及び第２機能画像ｍａが表示されているものとする。この状態で、図３（ｂ）に示すように第２機能画像ｍａに対するタッチ操作が行われ、引き続いて第２機能画像ｍａに対するスライド操作が行われると、このスライド操作を操作受付部１０２が受け付け、表示制御部１０３は、第２機能画像ｍａをそのスライド操作の方向に移動させる処理を行う。そして、図３（ｃ）に示すように第２機能画像ｍａがアイコンＡ２を示す画像中における任意位置まで移動されて、スライド操作が終了すると、表示制御部１０３は、第２機能画像ｍａをアイコンＡ２を示す画像中における任意位置に位置決めする。更に、表示制御部１０３は、第２機能画像ｍａを位置決めした後、一定時間が経過すると、第２機能画像ｍａをアイコンＡ２を示す画像中における任意位置に設定する。また、一定時間が経過するまでの間は、スライド操作による第２機能画像ｍａの再移動が可能である。これにより、アイコンＡ２を示す画像中における任意位置に第２機能画像ｍａが設定される。
【００２７】
このような第２機能画像ｍａは、例えばアイコンＡ２に対応付けられたテキストファイルのテキストの印刷及び印刷設定を指示する機能を有している。詳しくは、第２機能画像ｍａに対応する機能は、予め設定されたプログラムの実行によりなされる機能であり、プリントドライバーを起動して、テキストの印刷設定をプリントドライバーに指示する。印刷設定としては、１枚の記録紙に２ページのテキストを配置する「２in１」、１枚の記録紙に４ページのテキストを配置する「４in１」、モノクロ印刷、カラー印刷などがあり、この印刷設定がプリントドライバーに指示される。
【００２８】
ここで、操作受付部１０２は、タッチパネル２０から出力される検知信号に基づき、タッチ操作がアイコンＡ２を示す画像中における第２機能画像ｍａに対して行われたと判定すると、このタッチ操作に対応する制御信号を出力する。制御部１０１は、制御信号に基づき、そのタッチ操作されたアイコンＡ２に対応するテキストファイルを記憶部４０から読出す。そして、表示制御部１０３は、そのテキストファイルのテキストを表示部１０の画面に表示させる。また、制御部１０１は、制御信号に基づき、プリントドライバー（プログラム）を起動して、第２機能画像ｍａに対応する印刷設定をプリントドライバーに指示する。プリントドライバーは、その印刷設定に基づき、テキストの印刷データを生成し、この印刷データを通信部３０からネットワークを通じてネットワーク上のプリンター（図示せず）に送信する。プリンターでは、印刷データを受信して、印刷データによって示されるテキストを記録紙に印刷する。
【００２９】
上述の処理により、表示部１０に表示されたアイコン内には、第２機能画像ｍａが設けられた領域とそれ以外の領域とからなる複数の領域が設けられる。また、上記の処理では、操作受付部１０２は、アイコンに対するユーザー操作を受け付けた場合に、当該操作がアイコン内の何れの領域に対するユーザー操作であるか、すなわち、操作が第２機能画像ｍａが設けられた領域とそれ以外の領域に対するユーザー操作であるかを判定している。そして、制御部１０１は、操作受付部１０２がアイコンに対するユーザー操作を受け付けた場合、アイコンに関連付けられた機能に関する処理であって、操作が行われた領域に応じた処理、すなわち、第２機能画像ｍａが設けられた領域又はそれ以外の領域に応じた処理を行う。
【００３０】
次に、第１実施形態の表示装置１によるアイコンの操作に基づく制御手順を、図４に示すフローチャートに従って説明する。
【００３１】
表示制御部１０３は、まず、記憶部４０に記憶された操作画面のデータを読み出し、表示部１０に操作画面Ｄ１を表示させる（ステップＳ１０１）。
【００３２】
そして、操作受付部１０２は、操作画面Ｄ１に配置されたアイコンのタッチ操作を受け付けると（ステップＳ１０２で「Ｙｅｓ」）、タッチ操作されたアイコンを示す画像中に第２機能画像ｍａが設定されているか否かを判定する（ステップＳ１０３）。例えば、操作受付部１０２により、タッチ操作されたアイコンを示す画像中に第２機能画像ｍａが設定されていないと判定されると（ステップＳ１０３で「Ｎｏ」）、制御部１０１は、タッチ操作されたアイコンに対応する機能を実行する（ステップＳ１０４）。
【００３３】
また、操作受付部１０２は、タッチ操作されたアイコンを示す画像中に第２機能画像ｍａが設定されていると判定すると（ステップＳ１０３で「Ｙｅｓ」）、更にタッチ操作の位置がアイコンを示す画像中における第２機能画像ｍａに含まれているか否かを判定する（ステップＳ１０５）。そして、操作受付部１０２によりタッチ操作の位置がアイコンを示す画像中における第２機能画像ｍａに含まれていると判定されると（ステップＳ１０５で「Ｙｅｓ」）、制御部１０１は、アイコンに対応する機能を、該第２機能画像ｍａに対応する機能に関連付けて実行する（ステップＳ１０６）。
【００３４】
また、操作受付部１０２によりタッチ操作の位置がアイコンを示す画像中における第２機能画像ｍａに含まれていないと判定されると（ステップＳ１０５で「Ｎｏ」）、制御部１０１は、アイコンに対応する機能のみを実行する（ステップＳ１０４）
【００３５】
例えば、タッチ操作の位置がアイコンＡ２を示す画像中における第２機能画像ｍａに含まれていれば（ステップＳ１０５で「Ｙｅｓ」）、アイコンＡ２に対応するテキストファイルが記憶部４０から読出されて、テキストファイルのテキストが表示部１０の画面に表示されると共に、第２機能画像ｍａに対応する機能が実行されて、プリントドライバーが起動される（ステップＳ１０６）。また、タッチ操作の位置がアイコンＡ２を示す画像中における第２機能画像ｍａに含まれていなければ（ステップＳ１０５で「Ｎｏ」）、アイコンＡ２に対応するテキストファイルのテキストが表示部１０の画面に表示されるものの（ステップＳ１０４）、第２機能画像ｍａに対応する機能が実行されることはない。
【００３６】
以上のように、本発明の第１実施形態にかかる表示装置１では、操作画面Ｄ１上のアイコンがタッチ操作されたときには、タッチ操作されたアイコンを示す画像中に第２機能画像ｍａが設定されているか否かが判定され、タッチ操作されたアイコンを示す画像中に第２機能画像ｍａが設定されていない場合に、又はタッチ操作されたアイコンを示す画像中に第２機能画像ｍａが設定されていて、タッチ操作の位置がアイコンを示す画像中における第２機能画像ｍａに含まれていない場合に、タッチ操作されたアイコンに対応する機能のみが実行される。また、タッチ操作の位置がアイコンを示す画像中における第２機能画像ｍａに含まれている場合に、アイコンに対応する機能が、第２機能画像ｍａに対応する機能に関連付けて実行される。このため、アイコンを示す画像中における第２機能画像ｍａに対する一度のタッチ操作で２つの機能を関連付けて実行させることができ、操作が簡単化されて、ユーザーに新たな操作性を提供することができる。
【００３７】
＜変形例１−１＞
第１実施形態では、アイコンを示す画像中に１つの第２機能画像ｍａを設定しているが、アイコンを示す画像中に複数の第２機能画像を設定しても構わない。
【００３８】
例えば、図５に示すようにアイコンＡ４を示す画像中に４つの第２機能画像ｍａ１、ｍａ２、ｍａ３、ｍａ４を設定する。これらの第２機能画像ｍａ１、ｍａ２、ｍａ３、ｍａ４は、図３（ａ）〜（ｃ）に示す手順を繰り返すことにより、アイコンＡ４を示す画像中におけるそれぞれの任意位置に設定される。また、１つのアイコンを示す画像中に任意の数の第２機能画像を設定することができる。
【００３９】
アイコンＡ４は、インターネットブラウザ機能に対応付けられている。また、各第２機能画像ｍａ１〜ｍａ４に対応するそれぞれの機能は、予め設定されたプログラムの実行によりなされる機能であり、アイコンＡ４に対応するインターネットブラウザ機能の実行時に最初にアクセスされるネット上のサイトを該インターネットブラウザ機能に指示する機能である。
【００４０】
例えば、第２機能画像ｍａ１に対応する機能により、最初にアクセスされるサイトとして天気予報に係るサイトがインターネットブラウザ機能に指示される。また、第２機能画像ｍａ２に対応する機能により、最初にアクセスされるサイトとして仕事に頻繁に利用されるサイトがインターネットブラウザ機能に指示される。更に、第２機能画像ｍａ３に対応する機能により、最初にアクセスされるサイトとして娯楽に係るサイトがインターネットブラウザ機能に指示される。また、第２機能画像ｍａ４に対応する機能により、最初にアクセスされるサイトとしてニュースに係るサイトがインターネットブラウザ機能に指示される。
【００４１】
ここで、操作受付部１０２は、タッチパネル２０から出力される検知信号に基づき、タッチ操作がアイコンＡ４を示す画像中における第２機能画像ｍａ１に対して行われたと判定すると、このタッチ操作を受け付け、当該タッチ操作に対応する制御信号を制御部１０１に出力する。制御部１０１は、制御信号に基づきそのタッチ操作されたアイコンＡ４並びに第２機能画像ｍａ１を判定すると、アイコンＡ４に対応するインターネットブラウザ機能を実行すると共に、第２機能画像ｍａ１に対応する機能を実行して、最初にアクセスされるサイトとして天気予報に係るサイトをインターネットブラウザ機能に指示する。このインターネットブラウザ機能の実行に伴い、通信制御部１０４が通信部３０を通じて該インターネットブラウザ機能で設定されているネット上の天気予報に係るサイトに最初にアクセスして、サイトのデータを受信し、表示制御部１０３が天気予報に係るサイトを表示部１０の画面に表示させる。
【００４２】
同様に、タッチ操作がアイコンＡ４を示す画像中における第２機能画像ｍａ２に対して行われた場合は、仕事に頻繁に利用されるサイトが最初にアクセスされて、このサイトが表示部１０の画面に表示され、またタッチ操作が第２機能画像ｍａ３に対して行われた場合は、娯楽に係るサイトが最初にアクセスされて、このサイトが表示部１０の画面に表示され、更にタッチ操作が第２機能画像ｍａ４に対して行われた場合は、ニュースに係るサイトが最初にアクセスされて、このサイトが表示部１０の画面に表示される。
【００４３】
従って、アイコンＡ４を示す画像中における各第２機能画像ｍａ１〜ｍａ４のいずれがタッチ操作されるかにより、表示部１０の画面に最初に表示されるサイトが変わる。
【００４４】
＜変形例１−２＞
上記変形例１−１においては、アイコンＡ４を示す画像中に複数の第２機能画像ｍａ１〜ｍａ４が設定されている。このため、１つの任意の第２機能画像がタッチ操作されるときに、この任意の第２機能画像に隣接する他の第２機能画像もタッチ操作されることがある。
【００４５】
そこで、操作受付部１０２は、タッチパネル２０を通じて、アイコンＡ４に対するユーザー操作の接触範囲を求め、このアイコンＡ４を示す画像中における各第２機能画像ｍａ１〜ｍａ４のうちからその接触範囲に重なる面積が最も広い第２機能画像を選択して、この選択した第２機能画像に対するユーザー操作を受け付ける。これにより、アイコンＡ４を示す画像中に各第２機能画像ｍａ１〜ｍａ４が密接して設定されていても、ユーザーがタッチ操作した任意の第２機能画像を適確に選択することができる。
【００４６】
＜変形例１−３＞
また、アイコンを示す画像中に複数の第２機能画像を表示しておき、２つ以上の第２機能画像を交差するスライド操作が行われたときには、スライド操作に交差した２つ以上の第２機能画像に対応するそれぞれの機能を組み合わせて実行してもよい。
【００４７】
例えば、図６に示すようにアイコンＡ２を示す画像中に４つの第２機能画像ｍａ１、ｍａ２、ｍａ３、ｍａ４が設定されているものとする。これらの第２機能画像ｍａ１、ｍａ２、ｍａ３、ｍａ４は、「２in１」、モノクロ印刷、カラー印刷、「４in１」というそれぞれの印刷設定に対応している。
【００４８】
ここで、各第２機能画像ｍａ１〜ｍａ４のいずれかがタッチ操作されると、アイコンＡ２に対応する機能が、タッチ操作された第２機能画像に対応する機能に関連付けて実行される。また、アイコンＡ２がスライド操作されて、各第２機能画像ｍａ１〜ｍａ４のうちの２つ以上の第２機能画像がスライド操作に交差した場合は、アイコンＡ２に対応する機能が、スライド操作に交差した２つ以上の第２機能画像に対応する機能に関連付けて実行される。例えば、スライド操作が２つの第２機能画像ｍａ１、ｍａ２と交差した場合は、アイコンＡ２に対応するテキストファイルのテキストが、「２in１」及びモノクロで印刷される。
【００４９】
＜第２実施形態＞
次に、本発明の第２実施形態の表示装置について説明する。第２実施形態の表示装置１は、第１実施形態と同様に、図１及び図２に示す外観及び内部構成を有しているが、表示部１０の画面に表示されるアイコンの表示制御及び表示形態が異なる。
【００５０】
第２実施形態では、表示装置１の表示部１０に、例えば図７に示すように複数のアイコンＡ１〜Ａ３及びアイコンＢ１を配置した操作画面Ｄ２が表示される。各アイコンＡ１〜Ａ３は、それぞれの機能に対応付けられている。また、アイコンＢ１は、階層構造の関係を有する複数のフォルダやファイルに対応付けられている。
【００５１】
例えば、アイコンＢ１は、階層構造における最も上位のフォルダｆ１に対応付けられている。また、図８に示すように最も上位のフォルダｆ１には下位の２つのフォルダｆ２、ｆ３及びファイルｆ４が属し、フォルダｆ２にはより下位の２つのファイルｆ５、ｆ６が属し、フォルダｆ３にはより下位の２つのファイルｆ７、ｆ８が属している。
【００５２】
そして、アイコンＢ１を示す画像中には、そのようなフォルダやファイルの階層構造が反映されて表示される。
【００５３】
次に、第２実施形態の表示装置１によるアイコンの操作に基づく制御手順を、図９に示すフローチャートに従って説明する。
【００５４】
表示制御部１０３は、まず、記憶部４０に記憶された操作画面のデータを読み出し、表示部１０に操作画面Ｄ２を表示させる（ステップＳ２０１）。
【００５５】
そして、操作受付部１０２は、操作画面Ｄ２に配置されたアイコンのタッチ操作を受け付けると（ステップＳ２０２で「Ｙｅｓ」）、タッチ操作されたアイコンがフォルダに対応付けられているか否かを判定する（ステップＳ２０３）。例えば、操作受付部１０２により、タッチ操作されたアイコンがフォルダに対応付けられていないと判定されると（ステップＳ２０３で「Ｎｏ」）、制御部１０１は、タッチ操作されたアイコンに対応する機能を実行する（ステップＳ２０４）。
【００５６】
また、操作受付部１０２により、例えばタッチ操作されたアイコンＢ１がフォルダｆ１に対応付けられていると判定されると（ステップＳ２０３で「Ｙｅｓ」）、表示制御部１０３は、図１０（ａ）に示すようにフォルダｆ１に対応する第２機能画像ｍｂ１、及び該フォルダｆ１に属す２つのフォルダｆ２、ｆ３及びファイルｆ４に対応するそれぞれの第２機能画像ｍｂ２、ｍｂ３、ｍｂ４をアイコンＢ１を示す画像中に表示させる（ステップＳ２０５）。
【００５７】
そして、操作受付部１０２によりフォルダｆ２に対応する第２機能画像ｍｂ２に対するタッチ操作が判定されると（ステップＳ２０６で「Ｙｅｓ」）、表示制御部１０３は、図１０（ｂ）に示すようにフォルダｆ２に対応する第２機能画像ｍｂ２、及び該フォルダｆ２に属す２つのファイルｆ５、ｆ６に対応するそれぞれの第２機能画像ｍｂ５、ｍｂ６をアイコンＢ１を示す画像中に表示させる（ステップＳ２０５）。
【００５８】
同様に、図１０（ａ）においてフォルダｆ３に対応する第２機能画像ｍｂ３に対するタッチ操作が判定されると（ステップＳ２０６で「Ｙｅｓ」）、図１０（ｃ）に示すようにフォルダｆ３に対応する第２機能画像ｍｂ３、及び該フォルダｆ３に属す２つのファイルｆ７、ｆ８に対応するそれぞれの第２機能画像ｍｂ７、ｍｂ８がアイコンＢ１を示す画像中に表示される（ステップＳ２０５）。
【００５９】
また、操作受付部１０２により、各ファイルｆ４、ｆ５、ｆ６、ｆ７、ｆ８に対応する各第２機能画像ｍｂ４、ｍｂ５、ｍｂ６、ｍｂ７、ｍｂ８のいずれかに対するタッチ操作が判定されると（ステップＳ２０７で「Ｙｅｓ」）、制御部１０１は、そのタッチ操作された第２機能画像に対応するファイルを記憶部４０から読出して、このファイルに対応する機能を実行する（ステップＳ２０８）。例えば、制御部１０１がそのファイルの内容を展開し、表示制御部１０３がそのファイルの内容を表示部１０の画面に表示させる。
【００６０】
以上のように、本発明の第２実施形態にかかる表示装置１によれば、階層構造に応じてフォルダやファイルをタッチ操作して選択することができるので、フォルダやファイルの選択操作が容易になって、ユーザーに新たな操作性を提供することができる。
【００６１】
＜変形例２−１＞
第２実施形態では、アイコンの表示領域のサイズを一定に維持しているが、アイコンの表示領域のサイズを変更してもよい。
【００６２】
例えば、操作受付部１０２によりアイコンＢ１に対するタッチ操作が判定されると、表示制御部１０３は、図１１（ａ）に示すようにアイコンＢ１を示す画像中にフォルダｆ１に対応する第２機能画像ｍｂ１、該フォルダｆ１に属す２つのフォルダｆ２、ｆ３及びファイルｆ４に対応するそれぞれの第２機能画像ｍｂ２〜ｍｂ４をアイコンＢ１を示す画像中に表示させる。そして、操作受付部１０２によりフォルダｆ２に対するタッチ操作が判定されると、表示制御部１０３は、図１１（ｂ）に示すようにアイコンＢ１の表示領域を拡大して、この拡大した表示領域に、第２機能画像ｍｂ１及び３つの第２機能画像ｍｂ２〜ｍｂ４に加えて、フォルダｆ２に属す２つのファイルｆ５、ｆ６に対応するそれぞれの第２機能画像ｍｂ５、ｍｂ６を表示させる。同様に、図１１（ａ）においてフォルダｆ３に対するタッチ操作が判定されると、表示制御部１０３は、図１１（ｃ）に示すようにアイコンＢ１の表示領域を拡大して、この拡大した表示領域に、第２機能画像ｍｂ１及び３つの第２機能画像ｍｂ２〜ｍｂ４に加えて、フォルダｆ３に属す２つのファイルｆ７、ｆ８に対応するそれぞれの第２機能画像ｍｂ７、ｍｂ８を表示させる。
【００６３】
＜第３実施形態＞
次に、本発明の第３実施形態の表示装置について説明する。第３実施形態の表示装置１は、第１実施形態と同様に、図１及び図２に示す外観及び内部構成を有しているが、表示部１０の画面に表示されるアイコンに対する操作方法が異なる。
【００６４】
第３実施形態では、表示装置１の表示部１０に、例えば図１２に示すように複数のアイコンＡ１〜Ａ３及びアイコンＣ１を配置した操作画面Ｄ３が表示される。各アイコンＡ１〜Ａ３は、それぞれの機能に対応付けられており、各アイコンＡ１〜Ａ３に対するタッチ操作によりそれぞれの機能が実行される。
【００６５】
また、アイコンＣ１については、タッチ操作により該アイコンＣ１に対応する機能が実行されるだけではなく、スライド操作が行われた場合に、アイコンに対応する機能が、該スライド操作の操作方向に対応する機能に関連付けて実行される。これにより、一度のスライド操作で２つの機能を関連付けて実行させることができ、操作を簡単化させることができる。
【００６６】
例えば、図１３（ａ）〜（ｆ）に示すようにアイコンＣ１に対するユーザー操作の操作方向として、上方向、下方向、右方向、左方向、時計回り方向、反時計回り方向などを予め設定しておき、これらの操作方向に対応付けてそれぞれの機能を設定しておく。そして、アイコンＣ１に対するスライド操作の操作方向が、上方向、下方向、右方向、左方向、時計回り方向、反時計回り方向のいずれかに一致したときに、アイコンに対応する機能を、スライド操作の操作方向に対応する機能に関連付けて実行する。
【００６７】
より具体的には、アイコンＣ１がテキストファイルに対応付けられ、上方向、下方向、右方向、左方向、時計回り方向、反時計回り方向がそれぞれの印刷設定に対応付けられているとすると、アイコンＣ１に対してスライド操作が行われたときに、アイコンＣ１に対応するテキストファイルのテキストが、スライド操作の操作方向に対応する印刷設定で印刷される。各操作方向に対応するそれぞれの印刷設定としては、「２in１」、「４in１」、モノクロ印刷、カラー印刷、縦向き印刷、横向き印刷などがある。
【００６８】
次に、第３実施形態の表示装置１によるアイコンの操作に基づく制御手順を、図１４に示すフローチャートに従って説明する。
【００６９】
表示制御部１０３は、まず、記憶部４０に記憶された操作画面のデータを読み出し、表示部１０に操作画面Ｄ３を表示させる（ステップＳ３０１）。
【００７０】
そして、操作受付部１０２は、操作画面Ｄ３に配置されたアイコンのユーザー操作を受け付けると（ステップＳ３０２で「Ｙｅｓ」）、ユーザー操作がタッチ操作及びスライド操作のいずれであるかを判定する（ステップＳ３０３）。例えば、操作受付部１０２によりユーザー操作がタッチ操作であると判定されると（ステップＳ３０３で「タッチ操作」）、制御部１０１は、タッチ操作されたアイコンに対応する機能を実行する（ステップＳ３０４）。
【００７１】
また、操作受付部１０２によりユーザー操作がスライド操作であると判定されると（ステップＳ３０３で「スライド操作」）、制御部１０１は、ユーザー操作が受付けられたアイコンについてスライド操作の操作方向に対応する機能が設定されているか否かを判定する（ステップＳ３０５）。そして、制御部１０１は、スライド操作の操作方向に対応する機能が設定されていると判定すると（ステップＳ３０５で「Ｙｅｓ」）、スライド操作がなされたアイコンに対応する機能を、スライド操作の操作方向に対応する機能に関連付けて実行する（ステップＳ３０６）。
【００７２】
例えば、アイコンＣ１に対してスライド操作がなされた場合は、プリントドライバーが起動されて、スライド操作の操作方向に対応する印刷設定がプリントドライバーに指示される。プリントドライバーは、そのスライド操作の操作方向に対応する印刷設定に基づき、アイコンＣ１に対応するテキストファイルのテキストの印刷データを生成し、この印刷データを通信部３０からネットワークを通じてネットワーク上のプリンターに送信する。プリンターでは、印刷データを受信して、印刷データによって示されるテキストを記録紙に印刷する。
【００７３】
また、操作受付部１０２によりユーザー操作がスライド操作であると判定されても（ステップＳ３０３で「スライド操作」）、制御部１０１によりスライド操作の操作方向に対応する機能が設定されていないと判定されると（ステップＳ３０５で「Ｎｏ」）、アイコンに対応する機能が実行されるものの（ステップＳ３０４）、スライド操作の操作方向に対応する機能が実行されることはない。
【００７４】
以上のように、本発明の第３実施形態にかかる表示装置１では、操作画面Ｄ３上のアイコンがユーザー操作されたときには、ユーザー操作がタッチ操作及びスライド操作のいずれであるかが判定され、タッチ操作された場合に、アイコンに対応する機能が実行される。また、スライド操作である場合には、スライド操作の操作方向に対応する機能が設定されているか否かが判定され、スライド操作の操作方向に対応する機能が設定されていなければ、アイコンに対応する機能が実行されるものの、スライド操作の操作方向に対応する機能が実行されることはない。更に、スライド操作の操作方向に対応する機能が設定されていれば、アイコンに対応する機能が、スライド操作の操作方向に対応する機能に関連付けて実行される。このため、アイコンに対する一度のスライド操作で２つの機能を関連付けて実行させることができ、操作が簡単化されて、ユーザーに新たな操作性を提供することができる。
【００７５】
＜変形例３−１＞
第３実施形態では、アイコンＣ１に対するスライド操作の操作方向として一方向だけを判定して、この操作方向に対応する機能を実行しているが、複数の方向を同時に判定して、これらの操作方向に対応するそれぞれの機能を組み合わせて実行してもよい。
【００７６】
例えば、上方向、下方向、右方向、左方向、時計回り方向、反時計回り方向に対応するそれぞれの印刷設定として、「２in１」、「４in１」、モノクロ印刷、カラー印刷、縦向き印刷、横向き印刷が設定されているものとすると、アイコンＣ１に対して、例えば上方向のスライド操作が行われ、引き続いて右方向のスライド操作が行われた場合は、「２in１」及びモノクロ印刷が組み合わされて実行される。また、アイコンＣ１に対して、例えば左方向のスライド操作が行われ、引き続いて時計回り方向のスライド操作が行われた場合は、カラー印刷及び縦向き印刷が組み合わされて実行される。
【００７７】
＜第４実施形態＞
第４実施形態では、アイコンのセキュリティを向上させることができる。詳しくは、アイコンとして、アイコンの表示領域における予め設定された操作領域に対するタッチ操作が行われた場合に、そのアイコンに関連付けられた機能を実行すると共に、アイコンの表示領域における該操作領域を除く他の領域に対するタッチ操作が行われた場合に、そのアイコンに関連付けられた機能を実行しないようなアイコンを設定することができる。また、アイコンの表示領域における操作領域は、表示装置１のユーザーにより任意に設定されるものであり、設定後は操作領域が非表示となる。このため、表示装置１のユーザーとは異なる他の人が該表示装置１を操作しても、アイコンの機能を容易に実行することができず、セキュリティを向上させることができる。
【００７８】
例えば、後述する図１７（Ａ）〜図１７（Ｃ）の表示部１０の操作画面Ｄ１に表示されているアイコンＡ４の表示領域には、該表示領域よりも小さな操作領域ｍａが設定されている。この操作領域ｍａは、表示装置１のユーザーが予め設定したものであり、設定後は操作領域ｍａが非表示となって視認することができない。
【００７９】
操作受付部１０２は、タッチパネル２０から出力される検知信号に基づき、タッチ操作がアイコンＡ４の表示領域における操作領域ｍａに対して行われたと判定すると、このタッチ操作を受け付け、当該タッチ操作に対応する制御信号を制御部１０１に出力する。制御部１０１は、このタッチ操作された操作領域ｍａを含むアイコン４に関連付けられたインターネットブラウザ機能を実行する。また、操作受付部１０２は、タッチパネル２０から出力される検知信号に基づき、タッチ操作がアイコンＡ４の表示領域における操作領域ｍａとは異なる他の領域に対して行われたと判定すると、制御信号を制御部１０１に出力することがない。このため、インターネットブラウザ機能が実行されない。
【００８０】
次に、第４実施形態の表示装置１の動作について説明する。図１５は、表示装置１によるアイコンの選択操作を示すフローチャートである。
【００８１】
表示制御部１０３は、まず、記憶部４０に記憶された操作画面のデータを読み出し、表示部１０に操作画面Ｄ１を表示させる（ステップＳ４０１）。
【００８２】
そして、操作受付部１０２は、操作画面Ｄ１に配置されたアイコンのタッチ操作を受け付けると（ステップＳ４０２で「Ｙｅｓ」）、タッチ操作されたアイコンの表示領域に操作領域ｍａが設定されているか否かを判定する（ステップＳ４０３）。例えば、操作受付部１０２により、タッチ操作されたアイコンの表示領域に操作領域ｍａが設定されていないと判定されると（ステップＳ４０３で「Ｎｏ」）、制御部１０１は、タッチ操作されたアイコンに関連付けられた機能を実行する（ステップＳ４０４）。
【００８３】
また、操作受付部１０２は、タッチ操作されたアイコンの表示領域に操作領域ｍａが設定されていると判定すると（ステップＳ４０３で「Ｙｅｓ」）、更にタッチ操作の位置がアイコンの表示領域における操作領域ｍａに含まれているか否かを判定する（ステップＳ４０５）。そして、操作受付部１０２によりタッチ操作の位置がアイコンの表示領域における操作領域ｍａに含まれていると判定されると（ステップＳ４０５で「Ｙｅｓ」）、制御部１０１は、タッチ操作されたアイコンに関連付けられた機能を実行する（ステップＳ４０４）。また、操作受付部１０２によりタッチ操作の位置がアイコンの表示領域における操作領域ｍａに含まれていないと判定されると（ステップＳ４０５で「Ｎｏ」）、タッチ操作されたアイコンに関連付けられた機能が実行されることはない。
【００８４】
例えば、タッチ操作の位置がアイコンＡ４の表示領域における操作領域ｍａに含まれていれば（ステップＳ４０５で「Ｙｅｓ」）、アイコンＡ４に関連付けられたインターネットブラウザ機能が実行される（ステップＳ４０４）。また、タッチ操作の位置がアイコンＡ４の表示領域における操作領域ｍａに含まれていなければ（ステップＳ４０５で「Ｎｏ」）、アイコンＡ４に関連付けられたインターネットブラウザ機能が実行されることはない。
【００８５】
以降、各ステップＳ４０２〜Ｓ４０５の処理が定期的に繰り返されることにより、操作画面Ｄ１上のアイコンがタッチ操作されたときには、タッチ操作されたアイコンの表示領域に操作領域ｍａが設定されているか否かが判定され、タッチ操作されたアイコンの表示領域に操作領域ｍａが設定されていない場合に、又はタッチ操作されたアイコンの表示領域に操作領域ｍａが設定されていて、タッチ操作の位置がアイコンの表示領域における操作領域ｍａに含まれている場合に、タッチ操作されたアイコンに関連付けられた機能が実行される。
【００８６】
以上のように、本発明の第４実施形態にかかる表示装置１によれば、アイコンの表示領域において操作領域ｍａが設定されると、タッチ操作の位置がその操作領域ｍａに含まれている場合にのみ、アイコンに関連付けられた機能が実行されるので、操作領域ｍａが設定されていることを知らない人が表示装置１を操作しても、アイコンの機能を容易に実行することができず、セキュリティを向上させることができ、ユーザーに新たな操作性を提供することが可能となる。
【００８７】
＜変形例４−１＞
第４実施形態では、タッチ操作の位置がアイコンの表示領域における操作領域ｍａに含まれていない場合に、アイコンに関連付けられた機能を実行しないようにしているが、この代わりに、予め設定されたダミーデータを表示部１０の画面に表示してもよい。
【００８８】
例えば、アイコンＡ４に関連付けてダミーデータを予め設定して記憶部４０等に記憶しておく。そして、操作受付部１０２により、アイコンＡ４のタッチ操作が受け付けられながらも、タッチ操作の位置がアイコンＡ４の表示領域における操作領域ｍａに含まれていないと判定されると、表示制御部１０３は、そのアイコンＡ４に関連付けられたダミーデータを記憶部４０から読出して、このダミーデータを表示部１０の画面に表示する。
【００８９】
＜変形例４−２＞
また、表示制御部１０３は、日時に応じて、アイコンの表示領域における操作領域ｍａの位置を変更してもよい。このためには、図１６に示すような操作領域位置テーブルＤｔ１を予め作成して記憶部４０等に記憶しておく。この操作領域位置テーブルＤｔ１では、ＡＭ７：００〜ＡＭ９：００の時間帯に対応してアイコンの表示領域における上側が操作領域ｍａの位置として設定され、ＡＭ９：００〜ＰＭ５：００の時間帯に対応してアイコンの表示領域における左側が操作領域ｍａの位置として設定され、ＰＭ５：００〜ＡＭ７：００の時間帯に対応してアイコンの表示領域における下側が操作領域ｍａの位置として設定されている。
【００９０】
表示制御部１０３は、表示装置１で計時されている現在の日時を取得し、現在の日時と操作領域位置テーブルＤｔ１の各時間帯を比較して、現在の日時を含む時間帯が設定されているアイコンの表示領域における位置を選択し、この選択したアイコンの表示領域における位置に操作領域ｍａを設定する。
【００９１】
図１６に示すような操作領域位置テーブルＤｔ１を設定した場合は、ＡＭ７：００〜ＡＭ９：００の時間帯に、図１７（ａ）に示すように操作領域ｍａがアイコンの表示領域における上側に位置決めされ、ＡＭ９：００〜ＰＭ５：００の時間帯に、図１７（ｂ）に示すように操作領域ｍａがアイコンの表示領域における左側に位置決めされ、ＰＭ５：００〜ＡＭ７：００の時間帯に、図１７（ｃ）に示すように操作領域ｍａがアイコンの表示領域における下側に位置決めされる。
【００９２】
＜変形例４−３＞
また、表示制御部１０３は、表示装置１を用いるためにログインしたユーザーに応じて、アイコンの表示領域における操作領域ｍａの位置を変更しても構わない。このためには、図１８に示すような操作領域位置テーブルＤｔ２を予め作成して記憶部４０等に記憶しておく。この操作領域位置テーブルＤｔ２では、ユーザーＡのログインパスワードＰａに対応してアイコンの表示領域における上側が操作領域ｍａの位置として設定され、ユーザーＢのログインパスワードＰｂに対応してアイコンの表示領域における左側が操作領域ｍａの位置として設定され、ユーザーＣのログインパスワードＰｃに対応してアイコンの表示領域における下側が操作領域ｍａの位置として設定されている。
【００９３】
ここで、表示部１０の画面にキーボードなどが表示され、タッチ操作によりログインパスワードが入力されたものとする。このとき、制御部１０１は、操作受付部１０２を通じて該ログインパスワードを入力し、この入力したログインパスワードが操作領域位置テーブルＤｔ２における各ログインパスワードＰａ、Ｐｂ、Ｐｃのいずれかに一致すると、表示装置１を使用可能な動作状態にする。そして、表示制御部１０３は、操作領域位置テーブルＤｔ２を参照して、その入力したログインパスワードに対応するアイコンの表示領域における位置を選択し、この選択したアイコンの表示領域における位置に操作領域ｍａを設定する。
【００９４】
図１８に示すような操作領域位置テーブルＤｔ２を設定した場合は、ユーザーＡのログインパスワードＰａが入力されたときに、操作領域ｍａがアイコンの表示領域における上側に位置決めされ、ユーザーＢのログインパスワードＰｂが入力されたときに、操作領域ｍａがアイコンの表示領域における左側に位置決めされ、ユーザーＣのログインパスワードＰｃが入力されたときに、操作領域ｍａがアイコンの表示領域における下側に位置決めされる。
【００９５】
＜変形例４−４＞
また、操作受付部１０２は、アイコンの表示領域における操作領域ｍａに対する予め設定された操作手順のタッチ操作を受け付けると共に、操作領域ｍａに対す該操作手順とは異なるタッチ操作を受け付けないようにしても構わない。
【００９６】
例えば、操作受付部１０２は、操作領域ｍａに対するタッチ操作が規定時間の間に規定回数だけ繰り返されたときに、タッチ操作を受け付け、タッチ操作が規定時間の間に規定回数（予め定められた回数）だけ繰り返されなかったときに、タッチ操作を受け付けないようにする。
【００９７】
あるいは、操作受付部１０２は、操作領域ｍａに対するユーザー操作が規定方向（予め定められた方向）へのスライド操作であるときに、ユーザー操作を受け付け、ユーザー操作が規定方向でないときに、ユーザー操作を受け付けないようにする。より具体的には、図１９（ａ）〜図１９（ｆ）に示すように操作領域ｍａに対するユーザー操作の規定方向として、上方向、下方向、右方向、左方向、時計回り方向、反時計回り方向などを予め設定しておく。そして、操作領域ｍａに対するユーザー操作の方向が規定方向に一致したときに、ユーザー操作を受け付け、ユーザー操作が規定方向に一致しないときに、ユーザー操作を受け付けないようにする。
【００９８】
＜第５実施形態＞
本発明の第５実施形態の表示装置について説明する。第５実施形態の表示装置１は、第４実施形態とはアイコンの表示領域に設定される操作領域ｍａの数が異なる。
【００９９】
第５実施形態では、例えば図２０に示すようにアイコンＡ４が表示部１０の操作画面Ｄ２に表示されているものとすると、このアイコンＡ４の表示領域に３つの操作領域ｍａ１、ｍａ２、ｍａ３が非表示で設定されている。
【０１００】
これらの操作領域ｍａ１、ｍａ２、ｍａ３は、図３（ａ）〜（ｃ）に示す手順を繰り返すことにより、アイコンＡ４の表示領域におけるそれぞれの任意位置に所望のサイズで設定される。また、１つのアイコンの表示領域における操作領域の数を任意に設定することができる。
【０１０１】
このようなアイコンＡ４の表示領域における各操作領域ｍａ１、ｍａ２、ｍａ３に対しては、タッチ操作の操作手順が予め設定されている。例えば、操作手順は、各操作領域ｍａ１、ｍａ２、ｍａ３別に設定されており、規定時間の間に操作領域に対して繰り返し行われる規定回数のタッチ操作である。このためには、図２１に示すような操作手順テーブルＤｔ３を予め作成して記憶部４０等に記憶しておく。この操作手順テーブルＤｔ３では、操作領域ｍａ１に対応付けて規定時間Ｔの間に１回のタッチ操作が設定され、また操作領域ｍａ２に対応付けて規定時間Ｔの間に２回のタッチ操作が設定され、操作領域ｍａ３に対応付けて規定時間Ｔの間に３回のタッチ操作が設定されている。
【０１０２】
ここで、操作受付部１０２は、タッチパネル２０から出力される検知信号に基づき、タッチ操作がアイコンＡ４の表示領域における各操作領域ｍａ１〜ｍａ３のいずれかに対して行われると、操作手順テーブルＤｔ３を参照して、タッチ操作がそのタッチ操作された操作領域に対応する操作手順で行われたか否かを判定し、操作領域に対応する操作手順で行われたと判定すると、このタッチ操作を受け付け、当該タッチ操作に対応する制御信号を制御部１０１に出力する。例えば、操作領域ｍａ１が規定時間Ｔの間に１回のタッチ操作された場合は、タッチ操作が受け付けられる。同様に、操作領域ｍａ２が規定時間Ｔの間に２回のタッチ操作された場合に、また操作領域ｍａ３が規定時間Ｔの間に３回のタッチ操作された場合に、タッチ操作が受け付けられる。そして、表示制御部１０は、アイコンＡ４に関連付けられたインターネットブラウザ機能を実行する。
【０１０３】
また、操作受付部１０２は、タッチパネル２０から出力される検知信号に基づき、タッチ操作がアイコンＡ４の表示領域における各操作領域ｍａ１〜ｍａ３とは異なる他の領域に対して行われたか、又はタッチ操作が各操作領域ｍａ１〜ｍａ３のいずれかに対して行われても、タッチ操作がそのタッチ操作された操作領域に対応する操作手順で行われなかったと判定すると、このタッチ操作を受け付けず、制御信号を制御部１０１に出力することもない。このため、インターネットブラウザ機能が実行されない。
【０１０４】
次に、第５実施形態の表示装置１の動作について説明する。図２２は、表示装置１によるアイコンの選択操作を示すフローチャートである。
【０１０５】
表示制御部１０３は、まず、記憶部４０に記憶された操作画面のデータを読み出し、表示部１０に操作画面Ｄ２を表示させる（ステップＳ５０１）。
【０１０６】
そして、操作受付部１０２は、操作画面Ｄ２に配置されたアイコンのタッチ操作を受け付けると（ステップＳ５０２で「Ｙｅｓ」）、タッチ操作されたアイコンの表示領域に操作領域が設定されているか否かを判定する（ステップＳ５０３）。例えば、操作受付部１０２によりタッチ操作されたアイコンの表示領域に操作領域が設定されていないと判定されると（ステップＳ５０３で「Ｎｏ」）、制御部１０１は、タッチ操作されたアイコンに関連付けられた機能を実行する（ステップＳ５０４）。
【０１０７】
また、操作受付部１０２は、タッチ操作されたアイコンの表示領域に操作領域が設定されていると判定すると（ステップＳ５０３で「Ｙｅｓ」）、更にタッチ操作の位置がアイコンの表示領域における操作領域に含まれているか否かを判定する（ステップＳ５０５）。そして、操作受付部１０２は、タッチ操作の位置がアイコンの表示領域における操作領域ｍａに含まれていると判定すると（ステップＳ５０５で「Ｙｅｓ」）、操作手順テーブルＤｔ３を参照して、タッチ操作がそのタッチ操作された操作領域に対応する操作手順で行われたか否かを判定する（ステップＳ５０６）。
【０１０８】
このとき、操作受付部１０２によりタッチ操作がそのタッチ操作された操作領域に対応する操作手順で行われたと判定されると（ステップＳ５０６で「Ｙｅｓ」）、制御部１０１は、タッチ操作されたアイコンに関連付けられた機能を実行する（ステップＳ５０４）。
【０１０９】
また、操作受付部１０２により、タッチ操作の位置がアイコンの表示領域における操作領域に含まれていないと判定されるか（ステップＳ５０５で「Ｎｏ」）、タッチ操作の位置がアイコンの表示領域における操作領域に含まれると判定されながらも、（ステップＳ５０５で「Ｙｅｓ」）、タッチ操作がそのタッチ操作された操作領域に対応する操作手順で行われなかったと判定されると（ステップＳ５０６で「Ｎｏ」）、タッチ操作されたアイコンに関連付けられた機能が実行されることはない。
【０１１０】
以降、各ステップＳ５０２〜Ｓ５０６の処理が定期的に繰り返されることにより、操作画面Ｄ２上のアイコンがタッチ操作されたときには、タッチ操作されたアイコンの表示領域に操作領域が設定されているか否かが判定され、タッチ操作されたアイコンの表示領域に操作領域が設定されていない場合に、タッチ操作されたアイコンに関連付けられた機能が実行される。また、タッチ操作されたアイコンの表示領域に操作領域が設定されていて、タッチ操作の位置がアイコンの表示領域における操作領域に含まれ、更にタッチ操作がそのタッチ操作された操作領域に対応する操作手順で行われた場合に、タッチ操作されたアイコンに関連付けられた機能が実行される。
【０１１１】
以上のように、本発明の第５実施形態にかかる表示装置１によれば、アイコンの表示領域に複数の操作領域ｍａ１〜ｍａ３が設定されると、タッチ操作の位置がいずれかの操作領域に含まれ、かつタッチ操作がそのタッチ操作された操作領域に対応する操作手順で行われた場合にのみ、アイコンに関連付けられた機能が実行されるので、操作領域が設定されていることを知らない人が表示装置１を操作しても、アイコンの機能を容易に実行することができず、セキュリティを向上させることができ、ユーザーに新たな操作性を提供することが可能となる。
【０１１２】
＜変形例５−１＞
第５実施形態では、操作領域の操作手順として、規定時間の間に操作領域に対して繰り返し行われる規定回数のタッチ操作を例示しているが、他の操作手順を適用してもよい。例えば、操作領域の操作手順として、アイコンの表示領域における各操作領域に対するタッチ操作の順番を設定してもよい。より具体的には、図９に示すアイコンＡ４の表示領域における各操作領域ｍａ１、ｍａ２、ｍａ３に対するタッチ操作の順番を予め設定しておき、各操作領域ｍａ１、ｍａ２、ｍａ３がその順番で順次タッチ操作された場合に、タッチ操作されたアイコンに関連付けられた機能を実行し、また各操作領域ｍａ１、ｍａ２、ｍａ３がその順番でタッチ操作されなかった場合に、タッチ操作されたアイコンに関連付けられた機能を実行しない。
【０１１３】
加えて、各操作領域ｍａ１、ｍａ２、ｍａ３のいずれについても、タッチ操作される順番が回って来たときに、第５実施形態と同様に規定時間の間に操作領域に対して規定回数のタッチ操作が繰り返し行われたか否かを判定してもよい。この場合は、各操作領域ｍａ１、ｍａ２、ｍａ３がその順番で順次タッチ操作され、かつ各操作領域ｍａ１、ｍａ２、ｍａ３のいずれについても、規定時間の間に操作領域に対して規定回数のタッチ操作が繰り返し行われた場合に、タッチ操作されたアイコンに関連付けられた機能を実行する。
【０１１４】
また、各操作領域ｍａ１、ｍａ２、ｍａ３のいずれについても、タッチ操作される順番が回って来たときに、操作領域に対するユーザー操作の方向が規定方向であるか否かを判定してもよい。この場合は、各操作領域ｍａ１、ｍａ２、ｍａ３がその順番で順次ユーザー操作され、かつ各操作領域ｍａ１、ｍａ２、ｍａ３のいずれについても、操作領域に対するユーザー操作の方向が規定方向である場合に、ユーザー操作されたアイコンに関連付けられた機能を実行する。ユーザー操作の規定方向としては、上方向、下方向、右方向、左方向、時計回り方向、反時計回り方向などがある。
【０１１５】
＜変形例５−２＞
第５実施形態においても、第４実施形態に係る上記変形例４−１と同様に、アイコンに関連付けられた機能を実行しない代わりに、予め設定されたダミーデータを表示部１０の画面に表示してもよい。
【０１１６】
また、第４実施形態に係る上記変形例４−２、４−３と同様に、アイコンの表示領域における各操作領域別に、日時に応じて、アイコンの表示領域における操作領域の位置を変更したり、ログインしたユーザーに応じて、アイコンの表示領域における操作領域の位置を変更したりしても構わない。
【０１１７】
＜第６実施形態＞
第６実施形態では、表示制御部１０３は、表示部１０の操作画面Ｄ１の規定位置に配置された機能アイコンＡ４（画像）の代わりに、他の各機能アイコンＡ５、Ａ６、Ａ７（画像）をその規定位置に選択的に表示する。
【０１１８】
詳しくは、各機能アイコンＡ４、Ａ５、Ａ６、Ａ７毎に、アイコンの表示時間帯が設定されている。表示制御部１０３は、表示装置１で計時されている現在の日時を取得し、現在の日時と各機能アイコンＡ４〜Ａ７の表示時間帯を比較して、現在の日時を含む表示時間帯が設定されているアイコンを選択し、この選択したアイコンを操作画面Ｄ１の規定位置に表示する。従って、日時に応じて、各機能アイコンＡ４、Ａ５、Ａ６、Ａ７のいずれかが操作画面Ｄ１の規定位置に選択的に表示される。
【０１１９】
図２３は、各機能アイコンＡ４、Ａ５、Ａ６、Ａ７とそれぞれの表示時間帯を対応付けた表示時間帯テーブルＤｔ４を概念的に示している。この表示時間帯テーブルＤｔ４では、ＡＭ７：００〜ＡＭ９：００の表示時間帯に対応して機能アイコンＡ４が設定され、ＡＭ９：００〜ＰＭ５：００の表示時間帯に対応して機能アイコンＡ５が設定され、ＰＭ５：００〜ＰＭ９：００の表示時間帯に対応して機能アイコンＡ６が設定され、ＰＭ９：００〜ＡＭ７：００の表示時間帯に対応して機能アイコンＡ７が設定されている。
【０１２０】
この場合、ＡＭ７：００〜ＡＭ９：００の表示時間帯には、図２４（ａ）に示すように操作画面Ｄ１の規定位置に機能アイコンＡ４が表示され、ＡＭ９：００〜ＰＭ５：００の表示時間帯には、図２４（ｂ）に示すように操作画面Ｄ１の規定位置に機能アイコンＡ５が表示される。同様に、ＰＭ５：００〜ＰＭ９：００の表示時間帯には、操作画面Ｄ１の規定位置に機能アイコンＡ６が表示され、またＰＭ９：００〜ＡＭ７：００の表示時間帯には、操作画面Ｄ１の規定位置に機能アイコンＡ７が表示される。
【０１２１】
また、各機能アイコンＡ４、Ａ５、Ａ６、Ａ７は、それぞれのインターネットブラウザ機能（インターネットブラウザプログラム）に関連付けられている。これらのインターネットブラウザ機能では、インターネットブラウザ機能の実行時に最初にアクセスされるネット上のサイトが個別に設定されている。このため、各機能アイコンＡ４、Ａ５、Ａ６、Ａ７のいずれが選択されたかにより、最初にアクセスされるサイトが変わる。詳しくは、各機能アイコンＡ４、Ａ５、Ａ６、Ａ７のいずれかが操作画面Ｄ１の規定位置に表示されているときに、ユーザーが規定位置のアイコンにタッチ操作すると、操作受付部１０２により規定位置のアイコンのタッチ操作が受付けられる。そして、制御部１０１は、タッチ操作された規定位置のアイコンに関連付けられたインターネットブラウザ機能を実行する。このインターネットブラウザ機能の実行に伴い、通信制御部１０４が通信部３０を通じて該インターネットブラウザ機能で設定されているネット上のサイトに最初にアクセスして、サイトのデータを受信し、表示制御部１０３がその最初のサイトを表示部１０の画面に表示する。従って、規定位置に表示されているアイコンをタッチ操作すると、日時に応じて表示部１０の画面に最初に表示されるサイトが変わる。
【０１２２】
例えば、ＡＭ７：００〜ＡＭ９：００の表示時間帯に対応する機能アイコンＡ４がタッチ操作されたときには天気予報に係るサイトが最初に表示され、またＡＭ９：００〜ＰＭ５：００の表示時間帯に対応する機能アイコンＡ５がタッチ操作されたときには仕事に頻繁に利用されるサイトが最初に表示され、更にＰＭ５：００〜ＰＭ９：００の表示時間帯に対応する機能アイコンＡ６がタッチ操作されたときにはニュースに係るサイトが最初に表示され、ＰＭ９：００〜ＡＭ７：００の表示時間帯に対応する機能アイコンＡ７がタッチ操作されたときには娯楽に係るサイトが最初に表示されるようにする。このため、ユーザーは、図２３に示す表示時間帯テーブルＤｔ４を予め適宜設定しておくことにより、時間帯に応じて所望のサイトを直ちに見ることが可能となる。
【０１２３】
なお、表示時間帯として、日時だけではなく、曜日や年月日等を設定してもよい。また、操作画面Ｄ１の規定位置に選択的に表示されるアイコンの数を増減しても構わない。更に、アイコンに関連付けられる機能として、インターネットブラウザ機能だけではなく、他の機能を関連付けてもよい。
【０１２４】
次に、第６実施形態の表示装置１の動作について説明する。図２５は、表示装置１による機能アイコンの変更処理を示すフローチャートである。
【０１２５】
表示制御部１０３は、まず、記憶部４０に記憶された操作画面のデータを読み出し、表示部１０に操作画面Ｄ１を表示させる（ステップＳ６０１）。このとき、表示制御部１０３は、表示装置１で計時されている現在の日時を取得し（ステップＳ６０２）、現在の日時と表示時間帯テーブルＤｔ４における各機能アイコンＡ４〜Ａ７の表示時間帯を比較して、現在の日時を含む表示時間帯が設定されているアイコンを選択し（ステップＳ６０３）、このアイコンを表示部１０の操作画面Ｄ１の規定位置に表示する（ステップＳ６０４）。
【０１２６】
そして、上記の操作画面Ｄ１が表示部１０に表示されている状態で、操作受付部１０２が操作画面に配置されたアイコンのタッチ操作を受け付けると（ステップＳ６０５で「Ｙｅｓ」）、制御部１０１は、タッチ操作されたアイコンに関連付けられた機能を実行する（ステップＳ６０６）。
【０１２７】
例えば、図２４（ａ）に示すような操作画面Ｄ１において、操作受付部１０２が機能アイコンＡ１を選択するタッチ操作を受け付けた場合、制御部１０１は、機能アイコンＡ１に関連付けられたメール機能を実行する。また、操作受付部１０２が機能アイコンＡ４を選択するタッチ操作を受け付けた場合、制御部１０１は、機能アイコンＡ４に関連付けられたインターネットブラウザ機能を実行する。これにより、該インターネットブラウザ機能で設定されているサイトが最初にアクセスされて、表示制御部１０３がその最初にアクセスされたサイトを表示部１０の画面に表示する。
【０１２８】
また、他の各機能アイコンＡ５〜Ａ７のいずれかが操作画面Ｄ１の規定位置に表示されているときに、該他の各機能アイコンＡ５〜Ａ７のいずれかを選択するユーザー操作が受付けられた場合、このユーザー操作が受付けられたアイコンに関連付けられたインターネットブラウザ機能が実行され、該インターネットブラウザ機能で設定されているサイトが最初にアクセスされて、その最初にアクセスされたサイトが表示部１０の画面に表示される。
【０１２９】
以降、各ステップＳ６０２〜Ｓ６０６の処理が定期的に繰り返されることにより、現在の日時を含む表示時間帯が設定されている各機能アイコンＡ４〜Ａ７のいずれかが操作画面Ｄ１の規定位置に表示され、操作画面Ｄ１上の機能アイコンが選択されると、この選択された機能アイコンに関連付けられた機能が実行される。
【０１３０】
以上のように、本発明の第６実施形態にかかる表示装置１によれば、操作画面Ｄ１の規定位置には、現在の日時等に応じて各機能アイコンＡ４〜Ａ７が選択的に表示されるので、ユーザーにとって使い勝手が向上し、ユーザーに新たな操作性を提供することが可能となる。
【０１３１】
＜第７実施形態＞
次に、本発明の第７実施形態の表示装置について説明する。第７実施形態の表示装置１は、第６実施形態と表示制御部１０３による表示部１０の操作画面の表示制御が異なり、操作画面の表示形態も異なる。
【０１３２】
第７実施形態では、表示装置１の表示部１０に、図２６に示すように複数の機能アイコンＡ１〜Ａ３及び合成アイコンＢ１を配置した操作画面Ｄ２が表示される。各機能アイコンＡ１〜Ａ３は、それぞれの機能に関連付けられている。また、合成アイコンＢ１は、複数の機能アイコンＢ１１、Ｂ１２、Ｂ１３を合成したものであり、これらの機能アイコンＢ１１、Ｂ１２、Ｂ１３がそれぞれの機能に関連付けられている。例えば、各機能アイコンＢ１１、Ｂ１２、Ｂ１３は、それぞれのインターネットブラウザ機能に関連付けられている。これらのインターネットブラウザ機能では、インターネットブラウザ機能の実行時に最初にアクセスされるサイトが個別に設定されている。例えば、機能アイコンＢ１１がタッチ操作されたときには天気予報に係るサイトが最初に表示され、また機能アイコンＢ１２がタッチ操作されたときには仕事に頻繁に利用されるサイトが最初に表示され、更に機能アイコンＢ１３がタッチ操作されたときには娯楽に係るサイトが最初に表示される。
【０１３３】
このような各機能アイコンＢ１１、Ｂ１２、Ｂ１３を合成してなる合成アイコンＢ１は、次のような手順で作成される。
【０１３４】
まず、図２７（ａ）に示すように表示部１０の操作画面Ｄ２には、各機能アイコンＢ１１、Ｂ１２、Ｂ１３が表示されているものとする。この状態で、機能アイコンＢ１１に対するスライド操作が行われると、このスライド操作を操作受付部１０２が受け付け、表示制御部１０３は、機能アイコンＢ１１をそのスライド操作の方向に移動させる処理を行う。そして、図２７（ｂ）に示すように機能アイコンＢ１１が他の機能アイコンＢ１２に接する位置まで移動されると、表示制御部１０３は、図２７（ｃ）に示すように各機能アイコンＢ１１、Ｂ１２に対して横方向の縮小処理を施し、横方向に縮小された各機能アイコンＢ１１、Ｂ１２を合成して、合成アイコンＢ２を生成する。更に、図２７（ｄ）に示すように機能アイコンＢ１３に対するスライド操作が行われて、機能アイコンＢ１３が合成アイコンＢ２に接する位置まで移動されると、図２７（ｅ）に示すように機能アイコンＢ１３に対して横方向の縮小処理が施され、横方向に縮小された機能アイコンＢ１３が合成アイコンＢ２に合成されて、合成アイコンＢ１が生成される。これにより、各機能アイコンＢ１１〜Ｂ１３を合成してなる合成アイコンＢ１が生成される。
【０１３５】
更に、第７実施形態では、表示制御部１０３による表示部１０の制御で、合成アイコンＢ１の表示サイズ及び表示領域が一定に維持されながらも、合成アイコンＢ１における各機能アイコンＢ１１〜Ｂ１３の表示サイズが変更される。詳しくは、機能アイコンＢ１１〜Ｂ１３毎に、アイコンの表示時間帯が設定されている。表示制御部１０３は、表示装置１で計時されている現在の日時を取得し、現在の日時と各機能アイコンＢ１１〜Ｂ１３の表示時間帯を比較して、現在の日時を含む表示時間帯が設定されているアイコンを選択し、この選択したアイコンを最大の表示サイズで表示し、他のアイコンを最小の表示サイズで表示する。
【０１３６】
図２８は、各機能アイコンＢ１１、Ｂ１２、Ｂ１３とそれぞれの表示時間帯を対応付けた表示時間帯テーブルＤｔ５を概念的に示している。この表示時間帯テーブルＤｔ５では、ＡＭ７：００〜ＡＭ９：００の表示時間帯に対応して機能アイコンＢ１１が設定され、ＡＭ９：００〜ＰＭ５：００の表示時間帯に対応して機能アイコンＢ１２が設定され、ＰＭ５：００〜ＡＭ７：００の表示時間帯に対応して機能アイコンＢ１３が設定されている。
【０１３７】
この場合、ＡＭ７：００〜ＡＭ９：００の表示時間帯には、図２９（ａ）に示すように合成アイコンＢ１において機能アイコンＢ１１が横方向に伸張されて最大の表示サイズで表示されると共に他の各機能アイコンＢ１２、Ｂ１３が横方向に縮小されて最小の表示サイズで表示される。また、ＡＭ９：００〜ＰＭ５：００の表示時間帯には、図２９（ｂ）に示すように合成アイコンＢ１において機能アイコンＢ１２が最大の表示サイズで表示されると共に他の各機能アイコンＢ１１、Ｂ１３が最小の表示サイズで表示される。更に、ＰＭ５：００〜ＡＭ７：００の表示時間帯には、図２９（ｃ）に示すように合成アイコンＢ１において機能アイコンＢ１３が最大の表示サイズで表示されると共に他の各機能アイコンＢ１１、Ｂ１２が最小の表示サイズで表示される。
【０１３８】
このため、合成アイコンＢ１の中央付近がタッチ操作されると、最大の表示サイズで表示されている機能アイコンが選択されて、この機能アイコンに関連付けられたインターネットブラウザ機能が実行され、該インターネットブラウザ機能で設定されているサイトが最初にアクセスされて、その最初にアクセスされたサイトが表示部１０の画面に表示される。
【０１３９】
例えば、ＡＭ７：００〜ＡＭ９：００の表示時間帯では、機能アイコンＢ１１が最大の表示サイズで表示されるため、合成アイコンＢ１の中央付近がタッチ操作されると、機能アイコンＢ１１が選択されて、機能アイコンＢ１１に関連付けられたインターネットブラウザ機能が実行され、天気予報に係るサイトが最初にアクセスされて表示される。また、ＡＭ９：００〜ＰＭ５：００の表示時間帯では、機能アイコンＢ１２が最大の表示サイズで表示されるため、合成アイコンＢ１の中央付近がタッチ操作されると、機能アイコンＢ１２が選択されて、仕事に頻繁に利用されるサイトが最初にアクセスされて表示される。同様に、ＰＭ５：００〜ＡＭ７：００の表示時間帯では、機能アイコンＢ１３が最大の表示サイズで表示されるため、合成アイコンＢ１の中央付近がタッチ操作されると、機能アイコンＢ１３が選択されて、娯楽に係るサイトが最初にアクセスされて表示される。このため、ユーザーは、図２８に示す表示時間帯テーブルＤｔ５を予め適宜設定しておくことにより、時間帯に応じて所望のサイトを直ちに見ることが可能となる。
【０１４０】
また、合成アイコンＢ１における各機能アイコンＢ１１〜Ｂ１３の表示サイズが変更されるだけであって、各機能アイコンＢ１１〜Ｂ１３の表示が維持されるので、現在の日時にかかわらず、各機能アイコンＢ１１〜Ｂ１３のいずれにもタッチ操作することができ、それぞれのアイコンに関連付けられたインターネットブラウザ機能を実行することが可能である。
【０１４１】
なお、表示時間帯として、日時だけではなく、曜日や年月日等を設定してもよい。また、合成アイコンＢ１に含まれる機能アイコンの数を増減しても構わない。更に、機能アイコンに関連付けられる機能として、インターネットブラウザ機能だけではなく、他の機能を関連付けてもよい。
【０１４２】
次に、第７実施形態の表示装置１の動作について説明する。図３０は、表示装置１による合成アイコンにおける機能アイコンの表示サイズの変更処理を示すフローチャートである。
【０１４３】
表示制御部１０３は、まず、記憶部４０に記憶された操作画面のデータを読み出し、表示部１０に操作画面を表示させる（ステップＳ７０１）。このとき、表示制御部１０３は、表示装置１で計時されている現在の日時を取得し（ステップＳ７０２）、現在の日時と表示時間帯テーブルＤｔ５における各機能アイコンＢ１１〜Ｂ１３の表示時間帯を比較して、現在の日時を含む表示時間帯が設定されているアイコンを選択し（ステップＳ７０３）、このアイコンについては、最大の表示サイズで表示し、他のアイコンについては、最小の表示サイズで表示する（ステップＳ７０４）。
【０１４４】
そして、上記のような操作画面Ｄ２が表示部１０に表示されている状態で、操作受付部１０２が操作画面Ｄ２に配置されたアイコンのタッチ操作を受け付けると（ステップＳ７０５で「Ｙｅｓ」）、制御部１０１は、タッチ操作されたアイコンに関連付けられた機能を実行する（ステップＳ７０６）。例えば、操作画面Ｄ２において、操作受付部１０２が合成アイコンＢ１に含まれる各機能アイコンＢ１１〜Ｂ１３のいずれかを選択するタッチ操作を受け付けた場合、制御部１０１は、その選択された機能アイコンに関連付けられたインターネットブラウザ機能を実行する。これにより、該インターネットブラウザ機能で設定されているサイトが最初にアクセスされて、表示制御部１０３がその最初にアクセスされたサイトを表示部１０の画面に表示する。
【０１４５】
以降、各ステップＳ７０２〜Ｓ７０６の処理が定期的に繰り返されることにより、現在の日時を含む表示時間帯が設定されているアイコンが最大の表示サイズで表示されると共に他のアイコンが最小の表示サイズで表示され、いずれかの機能アイコンが選択されると、この選択された機能アイコンに関連付けられた機能が実行される。
【０１４６】
以上のように、本発明の第７実施形態にかかる表示装置１によれば、合成アイコンＢ１において、現在の日時等に応じて各機能アイコンＢ１１〜Ｂ１３のいずれかが最大の表示サイズで表示されるので、この最大の表示サイズの機能アイコンを容易に選択することができ、ユーザーにとって使い勝手が向上し、ユーザーに新たな操作性を提供することが可能となる。
【０１４７】
なお、第７実施形態では、各機能アイコンＢ１１〜Ｂ１３に対して横方向の縮小処理や伸張処理を施し、各機能アイコンＢ１１〜Ｂ１３を横方向に配列して、合成アイコンＢ１を生成しているが、各機能アイコンＢ１１〜Ｂ１３に対する縦方向の縮小処理や伸張処理、縦方向の配列により、合成アイコンを生成しても構わない。また、各機能アイコンＢ１１〜Ｂ１３別に、サイズが異なる大小の機能アイコンの画像を予め作成して記憶部４０に記憶しておき、大小の機能アイコンの画像を組み合わせて、合成アイコンを生成しても構わない。
【０１４８】
以下では、他の変形例について説明する。上記の実施形態では、表示制御部１０３が、日時に応じて本表示装置が有する機能を示す複数の画像の中から画像を選択し、当該選択した画像を表示画面に配置されたアイコン内に表示させる場合を説明した。これに対して、変形例にかかる表示装置１では、表示制御部１０３が、日時に加えて、表示装置１を使用しているユーザーに応じて、本表示装置が有する機能を示す複数の画像の中から画像を選択する。
【０１４９】
変形例にかかる表示装置１では、表示制御プログラムがＣＰＵに実行されることにより、制御ユニット１００が、更にユーザー特定部として機能する。ユーザー特定部は、操作受付部１０２が表示装置１へのログイン操作を受け付けた場合に、当該ログイン操作でログインしたユーザーを、表示装置１を使用しているユーザーとして特定する。また、表示装置１が指紋認証や顔認証などの生体認証を行うことができる生体認証センサーや、ユーザーを識別する識別番号を記憶したＩＤカードを読み取るＩＤカードリーダーなどを備えている場合、ユーザー特定部は、当該生体認証センサーやＩＤカードリーダーから出力された情報を用いて、表示装置１を使用しているユーザーを特定してもよい。
【０１５０】
変形例にかかる表示装置１では、図２３に示す表示時間帯テーブルが、ユーザー毎に記憶部４０に記憶されている。表示制御部１０３は、ユーザー特定部が特定したユーザーに対応する表示時間帯テーブルを選択し、当該選択した表示時間帯テーブルを参照して現在の日時に対応する機能アイコンを特定する。そして、表示制御部１０３は、特定した機能アイコンを表示部１０に表示させる。
【０１５１】
所望する機能アイコンは、日時だけでなくユーザー毎に異なることがある。例えば、午前中の時間帯に天気予報に係るサイトを閲覧したいユーザーもいれば、午前中の時間帯にニュースサイトを閲覧したいユーザーもいる。変形例にかかる表示装置１によれば、現在表示装置１を使用しているユーザーにより適した機能アイコンを表示することができるため、ユーザー利便性を更に向上させることができる。
【０１５２】
なお、上記各実施形態では、操作画面に表示されるアイコンとして、略正方形状のものを例示しているが、アイコンの形状は特に限定されるものではなく、例えばアイコンが略円形状であってもよい。
【０１５３】
また、上記各実施の形態で説明した表示制御方法は、プログラムとして提供することができる。このプログラムは、コンピューターにより読み取り可能な非一時的な記録媒体、例えば、ハードディスク、ＣＤ−ＲＯＭ、ＤＶＤ−ＲＯＭ、半導体メモリーなどに記録される。この場合、当該プログラムを記録したコンピューターにより読み取り可能な非一時的な記録媒体が、本発明の一実施形態となる。
【０１５４】
また、上記各実施形態及び各変形例を組み合わせてもよい。
【国際調査報告】
2017169630.tif 000033
2017169630.tif 000034
2017169630.tif 000035
2017169630.tif 000036